(57)【要約】      （修正有）【課題】計画されていないネットワーク配置において、アクセスポイントおよび／またはアクセスポイントと通信しているデバイス間の干渉を緩和するための方法ならびに装置を提供する。【解決手段】１つ以上の担当されているデバイスが１つ以上のアクセスポイントと潜在的に干渉することを決定６０２したことに基づいて、ＩＦＨＯを生じさせるために、または、干渉の発生を減少させるために、デバイスに対する周波数間ハンドオーバ（ＩＦＨＯ）しきい値またはデータレートを調節６０４でき、ならびに／あるいは、潜在的な干渉を緩和するために、デバイスが１つ以上の他のアクセスポイントと通信できるようにカバレッジエリアを修正できる。【選択図】図６
2014212542.tif 000002
【特許請求の範囲】
【請求項１】
ワイヤレスネットワーク中で干渉を緩和するための方法において、
担当されているデバイスが１つ以上のアクセスポイントに潜在的に干渉することを決定することと、
前記決定に少なくとも部分的に基づいて、前記担当されているデバイスに対する周波数間ハンドオーバしきい値またはデータレートを減少させることとを含む方法。
【請求項２】
前記決定することは、前記担当されているデバイスから受信した測定報告中で示されている前記１つ以上のアクセスポイントの信号強度または信号品質に少なくとも部分的に基づいている請求項１記載の方法。
【請求項３】
前記決定することは、前記担当されているデバイスから受信した、パイロット送信に対応する信号対ノイズ比が、しきい値レベルを下回っていることを決定することに少なくとも部分的に基づいている請求項１記載の方法。
【請求項４】
前記決定することは、バックホールリンクを通して、前記１つ以上のアクセスポイントから潜在的な干渉の指示を受信することに少なくとも部分的に基づいている請求項１記載の方法。
【請求項５】
ワイヤレスネットワーク中で干渉を緩和する装置において、
担当されているデバイスが１つ以上のアクセスポイントに潜在的に干渉することを決定し、
前記決定に少なくとも部分的に基づいて、前記担当されているデバイスに対する周波数間ハンドオーバしきい値またはデータレートを調節する、
ように構成されている少なくとも１つのプロセッサと、
前記少なくとも１つのプロセッサに結合されているメモリとを具備する装置。
【請求項６】
前記少なくとも１つのプロセッサは、前記担当されているデバイスから受信した測定報告中で示されている前記１つ以上のアクセスポイントの信号強度または信号品質、前記担当されているデバイスから受信した、パイロット送信に対応する信号対ノイズ比が、しきい値レベルを下回っていることを決定すること、または、バックホールリンクを通して、前記１つ以上のアクセスポイントから潜在的な干渉の指示を受信することに少なくとも部分的に基づいて、前記担当されているデバイスが前記１つ以上のアクセスポイントに潜在的に干渉することを決定する請求項５記載の装置。
【請求項７】
ワイヤレスネットワーク中で干渉を緩和する装置において、
担当されているデバイスが１つ以上のアクセスポイントに潜在的に干渉することを決定する手段と、
前記担当されているデバイスが１つ以上のアクセスポイントに潜在的に干渉することを決定する手段に少なくとも部分的に基づいて、前記担当されているデバイスに対する周波数間ハンドオーバしきい値またはデータレートを調節する手段とを具備する装置。
【請求項８】
前記決定する手段は、前記担当されているデバイスから受信した測定報告中で示されている前記１つ以上のアクセスポイントの信号強度または信号品質、前記担当されているデバイスから受信した、パイロット送信に対応する信号対ノイズ比が、しきい値レベルを下回っていることを決定すること、または、バックホールリンクを通して、前記１つ以上のアクセスポイントから潜在的な干渉の指示を受信することに少なくとも部分的に基づいて、前記担当されているデバイスが前記１つ以上のアクセスポイントに潜在的に干渉することを決定する請求項７記載の装置。
【請求項９】
ワイヤレスネットワーク中で干渉を緩和するコンピュータプログラムプロダクトにおいて、
担当されているデバイスが１つ以上のアクセスポイントに潜在的に干渉することを、少なくとも１つのコンピュータに決定させるためのコードと、
前記決定に少なくとも部分的に基づいて、前記担当されているデバイスに対する周波数間ハンドオーバしきい値またはデータレートを、前記少なくとも１つのコンピュータに調節させるためのコードとを含むコンピュータ読取可能媒体を具備するコンピュータプログラムプロダクト。
【請求項１０】
前記少なくとも１つのコンピュータに決定させるためのコードは、前記担当されているデバイスから受信した測定報告中で示されている前記１つ以上のアクセスポイントの信号強度または信号品質、前記担当されているデバイスから受信した、パイロット送信に対応する信号対ノイズ比が、しきい値レベルを下回っていることを決定すること、または、バックホールリンクを通して、前記１つ以上のアクセスポイントから潜在的な干渉の指示を受信することに少なくとも部分的に基づいて、前記担当されているデバイスが前記１つ以上のアクセスポイントに潜在的に干渉することを決定する請求項９記載のコンピュータプログラムプロダクト。
【請求項１１】
ワイヤレスネットワーク中で干渉を緩和する装置において、
担当されているデバイスが１つ以上のアクセスポイントに潜在的に干渉することを決定する干渉決定コンポーネントと、
前記担当されているデバイスが１つ以上のアクセスポイントに潜在的に干渉することを決定する干渉決定コンポーネントに少なくとも部分的に基づいて、前記担当されているデバイスに対する周波数間ハンドオーバしきい値またはデータレートを調節するコンポーネントとを具備する装置。
【請求項１２】
前記干渉決定コンポーネントは、前記担当されているデバイスから受信した測定報告中で示されている前記１つ以上のアクセスポイントの信号強度または信号品質に少なくとも部分的に基づいて決定する請求項１１記載の装置。
【請求項１３】
前記干渉決定コンポーネントは、前記担当されているデバイスから受信した、パイロット送信に対応する信号対ノイズ比が、しきい値レベルを下回っていることを決定することに少なくとも部分的に基づいて決定する請求項１１記載の装置。
【請求項１４】
前記干渉決定コンポーネントは、バックホールリンクを通して、前記１つ以上のアクセスポイントから潜在的な干渉の指示を受信することに少なくとも部分的に基づいて決定する請求項１１記載の装置。
【請求項１５】
ワイヤレスネットワーク中で干渉を緩和するための方法において、
メンバーデバイスとの通信を可能にするクローズドアクセスモードで動作することと、
１つ以上のアクセスポイントによって担当されている１つ以上のメンバーでないデバイスからの干渉を検出することと、
前記検出した干渉に基づいて、前記１つ以上のメンバーでないデバイスとの通信が可能になるように、ハイブリッドアクセスモードまたはオープンアクセスモードに切り替えることとを含む方法。
【請求項１６】
前記干渉を検出することは、総ワイドバンド電力またはセル外干渉が、しきい値レベルを超えていることを検出することを含む請求項１５記載の方法。
【請求項１７】
前記干渉を検出することは、バックホールリンクを通して、前記１つ以上のアクセスポイントから干渉の指示を受信することを含む請求項１５記載の方法。
【請求項１８】
前記１つ以上のメンバーでないデバイスとの通信が終了していることを決定したときに、前記クローズドアクセスモードに切り替えることをさらに含む請求項１５記載の方法。
【請求項１９】
ワイヤレスネットワーク中で干渉を緩和する装置において、
メンバーデバイスとの通信を可能にするクローズドアクセスモードをアドバタイズし、
１つ以上のアクセスポイントによって担当されている１つ以上のメンバーでないデバイスからの干渉を検出し、
前記検出した干渉に基づいて、前記１つ以上のメンバーでないデバイスとの通信が可能になるように、ハイブリッドアクセスモードまたはオープンアクセスモードに切り替える、
ように構成されている少なくとも１つのプロセッサと、
前記少なくとも１つのプロセッサに結合されているメモリとを具備する装置。
【請求項２０】
前記少なくとも１つのプロセッサは、総ワイドバンド電力またはセル外干渉が、しきい値レベルを超えていることを検出すること、または、バックホールリンクを通して、前記１つ以上のアクセスポイントから干渉の指示を受信することに少なくとも部分的によって、前記干渉を検出する請求項１９記載の装置。
【請求項２１】
ワイヤレスネットワーク中で干渉を緩和する装置において、
メンバーデバイスとの通信を可能にするクローズドアクセスモードで動作する手段と、
１つ以上のアクセスポイントによって担当されている１つ以上のメンバーでないデバイスからの干渉を検出する手段とを具備し、
前記動作する手段は、前記検出した干渉に基づいて、前記１つ以上のメンバーでないデバイスとの通信が可能になるように、ハイブリッドアクセスモードまたはオープンアクセスモードに切り替える装置。
【請求項２２】
前記検出する手段は、総ワイドバンド電力またはセル外干渉が、しきい値レベルを超えていることを検出すること、または、バックホールリンクを通して、前記１つ以上のアクセスポイントから干渉の指示を受信することに少なくとも部分的によって、前記干渉を検出する請求項２１記載の装置。
【請求項２３】
ワイヤレスネットワーク中で干渉を緩和するコンピュータプログラムプロダクトにおいて、
少なくとも１つのコンピュータに、メンバーデバイスとの通信を可能にするクローズドアクセスモードをアドバタイズさせるためのコードと、
前記少なくとも１つのコンピュータに、１つ以上のアクセスポイントによって担当されている１つ以上のメンバーでないデバイスからの干渉を検出させるためのコードと、
前記少なくとも１つのコンピュータに、前記検出した干渉に基づいて、前記１つ以上のメンバーでないデバイスとの通信が可能になるように、ハイブリッドアクセスモードまたはオープンアクセスモードをアドバタイズするように切り替えさせるためのコードとを含むコンピュータ読取可能媒体を具備するコンピュータプログラムプロダクト。
【請求項２４】
前記少なくとも１つのコンピュータに検出させるためのコードは、総ワイドバンド電力またはセル外干渉が、しきい値レベルを超えていることを検出すること、または、バックホールリンクを通して、前記１つ以上のアクセスポイントから干渉の指示を受信することに少なくとも部分的によって、前記干渉を検出する請求項２３記載のコンピュータプログラムプロダクト。
【請求項２５】
ワイヤレスネットワーク中で干渉を緩和する装置において、
メンバーデバイスとの通信を可能にするクローズドアクセスモードで動作するアクセスモードコンポーネントと、
１つ以上のアクセスポイントによって担当されている１つ以上のメンバーでないデバイスからの干渉を検出する干渉検出コンポーネントとを具備し、
前記アクセスモードコンポーネントは、前記検出した干渉に基づいて、前記１つ以上のメンバーでないデバイスとの通信が可能になるように、ハイブリッドアクセスモードまたはオープンアクセスモードに切り替える装置。
【請求項２６】
前記干渉検出コンポーネントは、総ワイドバンド電力またはセル外干渉が、しきい値レベルを超えていることを検出する請求項２５記載の装置。
【請求項２７】
前記干渉検出コンポーネントは、バックホールリンクを通して、前記１つ以上のアクセスポイントから干渉の指示を受信する請求項２５記載の装置。
【請求項２８】
前記アクセスモードコンポーネントは、前記１つ以上のメンバーでないデバイスとの通信が終了していると決定したときに、前記クローズドアクセスモードに切り替える請求項２５記載の装置。
【請求項２９】
ワイヤレス通信中で干渉を緩和するための方法において、
１つ以上のアクセスポイントと通信している１つ以上のデバイスからの干渉を検出することと、
前記干渉を検出したことに基づいて、経時的なブースティングパターンにしたがって、ダウンリンク送信電力を増加させることとを含む方法。
【請求項３０】
前記ダウンリンク送信電力を増加させることは、第１の時間期間の間、前記ダウンリンク送信電力をブーストすることと、前記第１の時間期間の後に前記干渉を検出したことに少なくとも基づいて、第２の時間期間の間、前記ダウンリンク送信電力の前記ブースティングを増加させることとを含む請求項２９記載の方法。
【請求項３１】
ワイヤレス通信中で干渉を緩和する装置において、
１つ以上のアクセスポイントと通信している１つ以上のデバイスからの干渉を検出し、
前記干渉を検出したことに基づいて、経時的なブースティングパターンにしたがって、ダウンリンク送信電力を増加させる、
ように構成されている少なくとも１つのプロセッサと、
前記少なくとも１つのプロセッサに結合されているメモリとを具備する装置。
【請求項３２】
前記少なくとも１つのプロセッサは、第１の時間期間の間、前記ダウンリンク送信電力をブーストすることと、前記第１の時間期間の後に前記干渉を検出したことに少なくとも基づいて、第２の時間期間の間、前記ダウンリンク送信電力の前記ブースティングを増加させることとに少なくとも部分的によって、前記ダウンリンク送信電力を増加させる請求項３１記載の装置。
【請求項３３】
ワイヤレス通信中で干渉を緩和する装置において、
１つ以上のアクセスポイントと通信している１つ以上のデバイスからの干渉を検出する手段と、
前記干渉を検出したことに基づいて、経時的なブースティングパターンにしたがって、ダウンリンク送信電力を増加させる手段とを具備する装置。
【請求項３４】
前記増加させる手段は、第１の時間期間の間、前記ダウンリンク送信電力をブーストすることと、前記第１の時間期間の後に前記干渉を検出したことに少なくとも基づいて、第２の時間期間の間、前記ダウンリンク送信電力の前記ブースティングを増加させることとに少なくとも部分的によって、前記ダウンリンク送信電力を増加させる請求項３３記載の装置。
【請求項３５】
ワイヤレス通信中で干渉を緩和するコンピュータプログラムプロダクトにおいて、
少なくとも１つのコンピュータに、１つ以上のアクセスポイントと通信している１つ以上のデバイスからの干渉を検出させるためのコードと、
前記少なくとも１つのコンピュータに、前記干渉を検出したことに基づいて、経時的なブースティングパターンにしたがって、ダウンリンク送信電力を増加させるためのコードとを含むコンピュータ読取可能媒体を具備するコンピュータプログラムプロダクト。
【請求項３６】
前記少なくとも１つのコンピュータに増加させるためのコードは、第１の時間期間の間、前記ダウンリンク送信電力をブーストすることと、前記第１の時間期間の後に前記干渉を検出したことに少なくとも基づいて、第２の時間期間の間、前記ダウンリンク送信電力の前記ブースティングを増加させることとに少なくとも部分的によって、前記ダウンリンク送信電力を増加させる請求項３５記載のコンピュータプログラムプロダクト。
【請求項３７】
ワイヤレス通信中で干渉を緩和する装置において、
１つ以上のアクセスポイントと通信している１つ以上のデバイスからの干渉を検出する干渉検出コンポーネントと、
前記干渉を検出したことに基づいて、経時的なブースティングパターンにしたがって、ダウンリンク送信電力を増加させるダウンリンク送信コンポーネントとを具備する装置。
【請求項３８】
前記ダウンリンク送信コンポーネントは、第１の時間期間の間、前記ダウンリンク送信電力をブーストすることと、前記第１の時間期間の後に前記干渉を検出したことに少なくとも基づいて、第２の時間期間の間、前記ダウンリンク送信電力の前記ブースティングを増加させることとに少なくとも部分的によって、前記ダウンリンク送信電力を増加させる請求項３７記載の装置。
【請求項３９】
ワイヤレス通信中で干渉を緩和するための方法において、
担当されているデバイスが１つ以上のアクセスポイントに潜在的に干渉することを決定することと、
前記決定に少なくとも部分的に基づいて、パス損失エッジターゲットを調節することとを含む方法。
【請求項４０】
前記決定することは、前記担当されているデバイスから受信した測定報告中で示されている前記１つ以上のアクセスポイントの信号強度または信号品質に少なくとも部分的に基づいている請求項３９記載の方法。
【請求項４１】
前記決定することは、前記担当されているデバイスから受信した、パイロット送信に対応する信号対ノイズ比が、しきい値レベルを下回っていることを決定することに少なくとも部分的に基づいている請求項３９記載の方法。
【請求項４２】
前記決定することは、バックホールリンクを通して、前記１つ以上のアクセスポイントから潜在的な干渉の指示を受信することに少なくとも部分的に基づいている請求項３９記載の方法。
【請求項４３】
前記パス損失エッジターゲットを調節することは、さらに、ダウンリンクカバレッジ要件とダウンリンク送信電力制限とに少なくとも部分的に基づいている請求項３９記載の方法。
【請求項４４】
ワイヤレス通信中で干渉を緩和する装置において、
担当されているデバイスが１つ以上のアクセスポイントに潜在的に干渉することを決定し、
前記決定に少なくとも部分的に基づいて、パス損失エッジターゲットを調節する、
ように構成されている少なくとも１つのプロセッサと、
前記少なくとも１つのプロセッサに結合されているメモリとを具備する装置。
【請求項４５】
前記少なくとも１つのプロセッサは、前記担当されているデバイスから受信した測定報告中で示されている前記１つ以上のアクセスポイントの信号強度または信号品質、前記担当されているデバイスから受信した、パイロット送信に対応する信号対ノイズ比が、しきい値レベルを下回っていることを決定すること、または、バックホールリンクを通して、前記１つ以上のアクセスポイントから潜在的な干渉の指示を受信することに少なくとも部分的に基づいて、前記担当されているデバイスが前記１つ以上のアクセスポイントに潜在的に干渉することを決定する請求項４４記載の装置。
【請求項４６】
ワイヤレス通信中で干渉を緩和する装置において、
担当されているデバイスが１つ以上のアクセスポイントに潜在的に干渉することを決定する手段と、
前記担当されているデバイスが潜在的に干渉することを決定する前記決定する手段に少なくとも部分的に基づいて、パス損失エッジターゲットを調節する手段とを具備する装置。
【請求項４７】
前記決定する手段は、前記担当されているデバイスから受信した測定報告中で示されている前記１つ以上のアクセスポイントの信号強度または信号品質、前記担当されているデバイスから受信した、パイロット送信に対応する信号対ノイズ比が、しきい値レベルを下回っていることを決定すること、または、バックホールリンクを通して、前記１つ以上のアクセスポイントから潜在的な干渉の指示を受信することに少なくとも部分的に基づいて、前記担当されているデバイスが前記１つ以上のアクセスポイントに潜在的に干渉することを決定する請求項４６記載の装置。
【請求項４８】
ワイヤレス通信中で干渉を緩和するコンピュータプログラムプロダクトにおいて、
少なくとも１つのコンピュータに、担当されているデバイスが１つ以上のアクセスポイントに潜在的に干渉することを決定させるためのコードと、
前記少なくとも１つのコンピュータに、前記決定に少なくとも部分的に基づいて、パス損失エッジターゲットを調節させるためのコードとを含むコンピュータ読取可能媒体を具備するコンピュータプログラムプロダクト。
【請求項４９】
前記少なくとも１つのコンピュータに決定させるためのコードは、前記担当されているデバイスから受信した測定報告中で示されている前記１つ以上のアクセスポイントの信号強度または信号品質、前記担当されているデバイスから受信した、パイロット送信に対応する信号対ノイズ比が、しきい値レベルを下回っていることを決定すること、または、バックホールリンクを通して、前記１つ以上のアクセスポイントから潜在的な干渉の指示を受信することに少なくとも部分的に基づいて、前記担当されているデバイスが前記１つ以上のアクセスポイントに潜在的に干渉することを決定する請求項４８記載のコンピュータプログラムプロダクト。
【請求項５０】
ワイヤレス通信中で干渉を緩和する装置において、
担当されているデバイスが１つ以上のアクセスポイントに潜在的に干渉することを決定する干渉決定コンポーネントと、
前記担当されているデバイスが潜在的に干渉することを決定する前記干渉決定コンポーネントに少なくとも部分的に基づいて、パス損失エッジターゲットを調節するパス損失エッジターゲット調節コンポーネントとを具備する装置。
【請求項５１】
前記干渉決定コンポーネントは、前記担当されているデバイスから受信した測定報告中で示されている前記１つ以上のアクセスポイントの信号強度または信号品質に少なくとも部分的に基づいて決定する請求項５０記載の装置。
【請求項５２】
前記干渉決定コンポーネントは、前記担当されているデバイスから受信した、パイロット送信に対応する信号対ノイズ比が、しきい値レベルを下回っていることを決定することに少なくとも部分的に基づいて決定する請求項５０記載の装置。
【請求項５３】
前記干渉決定コンポーネントは、バックホールリンクを通して、前記１つ以上のアクセスポイントから潜在的な干渉の指示を受信することに少なくとも部分的に基づいて決定する請求項５０記載の装置。
【請求項５４】
前記パス損失エッジターゲット調節コンポーネントは、ダウンリンクカバレッジ要件とダウンリンク送信電力制限とにさらに少なくとも部分的に基づいて、前記パス損失エッジターゲットを調節する請求項５０記載の装置。
【発明の詳細な説明】
【合衆国法典第３５部第１１９条の下での優先権の主張】
【０００１】
本特許出願は、２０１０年６月２９日に出願された、“向上されたアップリンク干渉管理”と題され、本出願の譲受人に譲渡され、ここでの参照によりここに明確に組み込まれている、仮出願番号第６１／３５９，７５４号に対する優先権を主張する。
【分野】
【０００２】
以下の説明は、一般的にワイヤレスネットワーク通信に関し、さらに詳細には、フェムトセル配置において干渉を緩和することに関する。
【背景】
【０００３】
ワイヤレス通信システムは、例えば、音声、データ等のような、さまざまなタイプの通信コンテンツを提供するように、幅広く展開されている。典型的なワイヤレス通信システムは、利用可能なシステムリソース（例えば、帯域幅、送信電力、．．．）を共有することにより、複数のユーザとの通信をサポートすることが可能な多元接続システムであってもよい。このような多元接続システムの例は、コード分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、および、これらに類似するものを含んでもよい。さらに、システムは、第三世代パートナーシッププロジェクト（３ＧＰＰ）、３ＧＰＰロングタームエボリューション（ＬＴＥ）、ウルトラモバイルブロードバンド（ＵＭＢ）、ｅｖｏｌｕｔｉｏｎ ｄａｔａ ｏｐｔｉｍｉｚｅｄ（ＥＶ−ＤＯ）等のような規格に準拠することができる。
【０００４】
一般に、ワイヤレス多元接続通信システムは、複数の移動デバイスに対する通信を同時にサポートしてもよい。各移動デバイスは、フォワードリンク上およびリバースリンク上の送信を介して、１つ以上のアクセスポイントと通信してもよい。フォワードリンク（または、ダウンリンク）は、アクセスポイントから移動デバイスへの通信リンクのことを指し、リバースリンク（または、アップリンク）は、移動デバイスからアクセスポイントへの通信リンクのことを指す。さらに、単一入力単一出力（ＳＩＳＯ）システム、複数入力単一出力（ＭＩＳＯ）システム、または、複数入力複数出力（ＭＩＭＯ）システム等を介して、移動デバイスとアクセスポイントとの間の通信を確立してもよい。加えて、移動デバイスは、他の移動デバイスと（および／または、アクセスポイントは、他のアクセスポイントと）ピア・ツー・ピアワイヤレスネットワークコンフィギュレーションで通信することができる。
【０００５】
従来の基地局を補足するために、移動デバイスに対するさらにロバストなワイヤレスカバレッジを提供するように、追加の制限されたアクセスポイントを配置できる。例えば、インクリメント的な容量増加や、より豊かなユーザ経験や、建物内または他の特定の地理的なカバレッジや、ならびに／あるいは、これらに類似するもののために、ワイヤレス中継局および低電力基地局（これらは、例えば、一般的に、ホームノードＢまたはホームｅＮＢと呼ばれ、まとめて、Ｈ（ｅ）ＮＢと呼ばれ、フェムトアクセスポイント、フェムトセル、ピコセル、マイクロセル等と呼ばれることがある）を配置できる。いくつかのコンフィギュレーションでは、このような低電力基地局は、移動体オペレータネットワークへのバックホールリンクを提供できるブロードバンド接続（例えば、デジタル加入者線（ＤＳＬ）ルータ、ケーブル、または、他のモデム等）を介して、インターネットに接続できる。したがって、ブロードバンド接続を介して１つ以上のデバイスに移動体ネットワークアクセスを提供するために、例えば、低電力基地局をユーザの家の中に配置できる。
【０００６】
この点については、このような低電力基地局の配置は、多くのケースでは計画されておらず、したがって、基地局および／または基地局と通信している移動デバイスは、他の低電力基地局、マクロセル基地局、または、付近にある他のデバイスに対して干渉を生じさせることがある。同様に、マクロセル基地局と通信しているデバイスは、近くのフェムトセルアクセスポイントと干渉することがある。
【概要】
【０００７】
以下のものは、このような態様の基本的な理解を提供するために、１つ以上の態様の簡略化した概要を提示する。この概要は、すべての考えられる態様の広範囲にわたる概略ではなく、すべての態様のキーエレメントまたは重要なエレメントを識別すること、あるいは、任意の態様またはすべての態様の範囲を詳細に述べることのどちらも意図していない。この唯一の目的は、後に提示するさらに詳細な説明に対する前置きとして、１つ以上の態様のうちのいくつかの概念を、簡略化した形態で提示することである。
【０００８】
１つ以上の実施形態とその対応する開示とにしたがって、マクロセルアクセスポイントと通信している１つ以上のデバイスからの、フェムトセルアクセスポイントに対するアップリンク干渉を減少させること、および／または、その逆もまた同じであることに関連して、さまざまな態様を説明する。１つの例では、マクロセルアクセスポイントと通信しているデバイスからのフェムトセルアクセスポイントへの潜在的な干渉が、しきい値レベルを超えていると決定されたときに、そのデバイスに対して、周波数間ハンドオーバ（ＩＦＨＯ）しきい値を下げることができる。別の例では、いったん、デバイスからの干渉がしきい値レベルを超えると、フェムトセルアクセスポイントは、デバイスのフェムトセルアクセスポイントへのハンドオーバを促進するために、ハイブリッド動作モードに切り替えることができる。別の例では、デバイスからフェムトセルアクセスポイントへの干渉がしきい値レベルを超えたときに、マクロセルアクセスポイントによって、デバイスのデータレートを限定することができる。これは、より低い電力でマクロセルアクセスポイントに送信するデバイスを結果として生じさせる。さらに別の例では、フェムトセルアクセスポイントからデバイスへの干渉がＩＦＨＯしきい値を超え、マクロセルアクセスポイントからのデバイスのＩＦＨＯを生じさせるように、フェムトセルアクセスポイントが、ダウンリンク送信電力を増加させることができる。別の例では、フェムトセルアクセスポイントは、フェムトセルのカバレッジエリアを減少させることによって、フェムトセルアクセスポイントと通信している１つ以上のデバイスによって生じる、マクロセルアクセスポイントへの干渉を減少させることができる。
【０００９】
例にしたがって、ワイヤレスネットワーク中で干渉を緩和するための方法が提供されている。方法は、担当されているデバイスが１つ以上のアクセスポイントに潜在的に干渉することを決定することと、決定に少なくとも部分的に基づいて、担当されているデバイスに対する周波数間ハンドオーバしきい値またはデータレートを調節することとを含む。
【００１０】
別の態様では、ワイヤレスネットワーク中で干渉を緩和する装置が提供されている。装置は、担当されているデバイスが１つ以上のアクセスポイントに潜在的に干渉することを決定するように構成されている少なくとも１つのプロセッサを具備する。少なくとも１つのプロセッサは、決定に少なくとも部分的に基づいて、担当されているデバイスに対する周波数間ハンドオーバしきい値またはデータレートを調節するようにさらに構成されている。装置はまた、少なくとも１つのプロセッサに結合されているメモリとを具備する。
【００１１】
さらに別の態様では、担当されているデバイスが１つ以上のアクセスポイントに潜在的に干渉することを決定する手段を具備する、ワイヤレスネットワーク中で干渉を緩和する装置が提供されている。装置は、担当されているデバイスが１つ以上のアクセスポイントに潜在的に干渉することを決定する手段に少なくとも部分的に基づいて、担当されているデバイスに対する周波数間ハンドオーバしきい値またはデータレートを調節する手段をさらに具備する。
【００１２】
さらに、別の態様では、担当されているデバイスが１つ以上のアクセスポイントに潜在的に干渉することを、少なくとも１つのコンピュータに決定させるためのコードを含むコンピュータ読取可能媒体を具備する、ワイヤレスネットワーク中で干渉を緩和するコンピュータプログラムプロダクトが提供されている。コンピュータ読取可能媒体は、決定に少なくとも部分的に基づいて、担当されているデバイスに対する周波数間ハンドオーバしきい値またはデータレートを、少なくとも１つのコンピュータに調節させるためのコードをさらに含む。
【００１３】
さらに、ある態様では、担当されているデバイスが１つ以上のアクセスポイントに潜在的に干渉することを決定する干渉決定コンポーネントを具備する、ワイヤレスネットワーク中で干渉を緩和する装置が提供されている。装置は、担当されているデバイスが１つ以上のアクセスポイントに潜在的に干渉することを決定する干渉決定コンポーネントに少なくとも部分的に基づいて、担当されているデバイスに対する周波数間ハンドオーバしきい値またはデータレートを調節するコンポーネントをさらに具備する。
【００１４】
別の例にしたがって、メンバーデバイスとの通信を可能にするクローズドアクセスモードで動作することと、１つ以上のアクセスポイントによって担当されている１つ以上のメンバーでないデバイスからの干渉を検出することとを含む、ワイヤレスネットワーク中で干渉を緩和するための方法が提供されている。方法は、検出した干渉に基づいて、１つ以上のメンバーでないデバイスとの通信が可能になるように、ハイブリッドアクセスモードまたはオープンアクセスモードに切り替えることをさらに含む。
【００１５】
別の態様では、ワイヤレスネットワーク中で干渉を緩和する装置が提供されている。装置は、メンバーデバイスとの通信を可能にするクローズドアクセスモードをアドバタイズし、１つ以上のアクセスポイントによって担当されている１つ以上のメンバーでないデバイスからの干渉を検出するように構成されている少なくとも１つのプロセッサを具備する。少なくとも１つのプロセッサは、検出した干渉に基づいて、１つ以上のメンバーでないデバイスとの通信が可能になるように、ハイブリッドアクセスモードまたはオープンアクセスモードに切り替えるようにさらに構成されている。装置はまた、少なくとも１つのプロセッサに結合されているメモリとを具備する。
【００１６】
さらに別の態様では、メンバーデバイスとの通信を可能にするクローズドアクセスモードで動作する手段を具備する、ワイヤレスネットワーク中で干渉を緩和する装置が提供されている。装置は、１つ以上のアクセスポイントによって担当されている１つ以上のメンバーでないデバイスからの干渉を検出する手段をさらに具備し、動作する手段は、検出した干渉に基づいて、１つ以上のメンバーでないデバイスとの通信が可能になるように、ハイブリッドアクセスモードまたはオープンアクセスモードに切り替える。
【００１７】
さらに、別の態様では、少なくとも１つのコンピュータに、メンバーデバイスとの通信を可能にするクローズドアクセスモードをアドバタイズさせるためのコードと、少なくとも１つのコンピュータに、１つ以上のアクセスポイントによって担当されている１つ以上のメンバーでないデバイスからの干渉を検出させるためのコードとを有するコンピュータ読取可能媒体を具備する、ワイヤレスネットワーク中で干渉を緩和するコンピュータプログラムプロダクトが提供されている。コンピュータ読取可能媒体は、少なくとも１つのコンピュータに、検出した干渉に基づいて、１つ以上のメンバーでないデバイスとの通信が可能になるように、ハイブリッドアクセスモードまたはオープンアクセスモードをアドバタイズするように切り替えさせるためのコードをさらに含む。
【００１８】
さらに、ある態様では、メンバーデバイスとの通信を可能にするクローズドアクセスモードで動作するアクセスモードコンポーネントを具備する、ワイヤレスネットワーク中で干渉を緩和する装置が提供されている。装置は、１つ以上のアクセスポイントによって担当されている１つ以上のメンバーでないデバイスからの干渉を検出する干渉検出コンポーネントをさらに具備する。アクセスモードコンポーネントは、検出した干渉に基づいて、１つ以上のメンバーでないデバイスとの通信が可能になるように、ハイブリッドアクセスモードまたはオープンアクセスモードに切り替える。
【００１９】
別の例では、１つ以上のアクセスポイントと通信している１つ以上のデバイスからの干渉を検出することと、干渉を検出したことに基づいて、経時的なブースティングパターンにしたがって、ダウンリンク送信電力を増加させることとを含むワイヤレス通信中で干渉を緩和するための方法が提供されている。
【００２０】
別の例では、ワイヤレス通信中で干渉を緩和する装置が提供されている。装置は、１つ以上のアクセスポイントと通信している１つ以上のデバイスからの干渉を検出するように構成されている少なくとも１つのプロセッサを具備する。少なくとも１つのプロセッサは、干渉を検出したことに基づいて、経時的なブースティングパターンにしたがって、ダウンリンク送信電力を増加させるようにさらに構成されている。装置はまた、少なくとも１つのプロセッサに結合されているメモリとを具備する。
【００２１】
さらに別の態様では、１つ以上のアクセスポイントと通信している１つ以上のデバイスからの干渉を検出する手段を具備する、ワイヤレス通信中で干渉を緩和する装置が提供されている。装置は、干渉を検出したことに基づいて、経時的なブースティングパターンにしたがって、ダウンリンク送信電力を増加させる手段をさらに具備する。
【００２２】
さらに、別の態様では、少なくとも１つのコンピュータに、１つ以上のアクセスポイントと通信している１つ以上のデバイスからの干渉を検出させるためのコードを有するコンピュータ読取可能媒体を具備する、ワイヤレス通信中で干渉を緩和するコンピュータプログラムプロダクトが提供されている。コンピュータ読取可能媒体は、少なくとも１つのコンピュータに、干渉を検出したことに基づいて、経時的なブースティングパターンにしたがって、ダウンリンク送信電力を増加させるためのコードをさらに含む。
【００２３】
さらに、ある態様では、１つ以上のアクセスポイントと通信している１つ以上のデバイスからの干渉を検出する干渉検出コンポーネントを具備する、ワイヤレス通信中で干渉を緩和する装置が提供されている。装置は、干渉を検出したことに基づいて、経時的なブースティングパターンにしたがって、ダウンリンク送信電力を増加させるダウンリンク送信コンポーネントをさらに具備する。
【００２４】
別の例にしたがって、ワイヤレス通信中で干渉を緩和するための方法が提供されている。方法は、担当されているデバイスが１つ以上のアクセスポイントに潜在的に干渉することを決定することと、決定に少なくとも部分的に基づいて、パス損失エッジターゲットを調節することとを含む。
【００２５】
別の態様では、ワイヤレス通信中で干渉を緩和する装置が提供されている。装置は、担当されているデバイスが１つ以上のアクセスポイントに潜在的に干渉することを決定するように構成されている少なくとも１つのプロセッサを具備する。少なくとも１つのプロセッサは、決定に少なくとも部分的に基づいて、パス損失エッジターゲットを調節するようにさらに構成されている。装置はまた、少なくとも１つのプロセッサに結合されているメモリを具備する。
【００２６】
さらに別の態様では、担当されているデバイスが１つ以上のアクセスポイントに潜在的に干渉することを決定する手段を具備する、ワイヤレス通信中で干渉を緩和する装置が提供されている。装置は、担当されているデバイスが潜在的に干渉することを決定する決定する手段に少なくとも部分的に基づいて、パス損失エッジターゲットを調節する手段を具備する。
【００２７】
さらに、別の態様では、少なくとも１つのコンピュータに、担当されているデバイスが１つ以上のアクセスポイントに潜在的に干渉することを決定させるためのコードを有するコンピュータ読取可能媒体を具備する、ワイヤレス通信中で干渉を緩和するコンピュータプログラムプロダクトが提供されている。コンピュータ読取可能媒体は、少なくとも１つのコンピュータに、決定に少なくとも部分的に基づいて、パス損失エッジターゲットを調節させるためのコードをさらに含む。
【００２８】
さらに、ある態様では、担当されているデバイスが１つ以上のアクセスポイントに潜在的に干渉することを決定する干渉決定コンポーネントを具備する、ワイヤレス通信中で干渉を緩和する装置が提供されている。装置は、担当されているデバイスが潜在的に干渉することを決定する干渉決定コンポーネントに少なくとも部分的に基づいて、パス損失エッジターゲットを調節するパス損失エッジターゲット調節コンポーネントをさらに具備する。
【００２９】
先の目的および関連する目的を達成するために、１つ以上の態様は、後に完全に説明する特徴、および、特許請求の範囲中で特に指摘する特徴を含んでいる。以下の説明および添付図面により、１つ以上の態様のある例示的な特徴を詳細に述べる。しかしながら、これらの特徴は、さまざまな態様の原理を用いることができるさまざまな方法のうちのいくつかのみを示しており、この説明は、このようなすべての態様およびそれらの均等物を含むことを意図している。
【図面の簡単な説明】
【００３０】
開示する態様は、開示する態様を限定せずに図示するように提供されている添付図面に関連して、ここより後で説明する。ここで、同一の記号は、同一のエレメントを示す。
【図１】図１は、ワイヤレスネットワーク中での干渉の緩和を促進する例示的なシステムのブロックダイヤグラムである。
【図２】図２は、１つ以上の担当されているデバイスによって生じる干渉を緩和するための例示的なシステムのブロックダイヤグラムである。
【図３】図３は、１つ以上のメンバーでないデバイスからの干渉を緩和するための例示的なシステムのブロックダイヤグラムである。
【図４】図４は、１つ以上の干渉しているデバイスにハンドオーバを実行させるための例示的なダウンリンク送信電力ブースティングパターンである。
【図５】図５は、カバレッジエリアを修正して、ワイヤレスネットワーク中で干渉を緩和するための例示的なシステムのブロックダイヤグラムである。
【図６】図６は、１つ以上の担当されているデバイスからの干渉を緩和する例示的な方法の態様のフローチャートである。
【図７】図７は、アクセスモードを切り替えることによって干渉を緩和する例示的な方法の態様のフローチャートである。
【図８】図８は、ダウンリンク送信電力をブーストして干渉を緩和するための例示的な方法の態様のフローチャートである。
【図９】図９は、カバレッジエリアを修正して、他のアクセスポイントへのデバイス干渉を緩和する例示的な方法の態様のフローチャートである。
【図１０】図１０は、１つ以上のデバイスによって生じる干渉を緩和するための例示的なシステムのブロックダイヤグラムである。
【図１１】図１１は、１つ以上の干渉しているデバイスにハンドオーバを実行させる例示的なシステムのブロックダイヤグラムである。
【図１２】図１２は、アクセスモードを切り替えることによって干渉を緩和する例示的なシステムのブロックダイヤグラムである。
【図１３】図１３は、ダウンリンク送信電力をブーストして干渉を緩和する例示的なシステムのブロックダイヤグラムである。
【図１４】図１４は、カバレッジエリアを修正して、他のアクセスポイントへのデバイス干渉を緩和する例示的なシステムのブロックダイヤグラムである。
【図１５】図１５は、ここで述べるさまざまな態様にしたがった、例示的なワイヤレス通信システムのブロックダイヤグラムである。
【図１６】図１６は、ここで説明するさまざまなシステムおよび方法に関連して用いることができる、例示的なワイヤレスネットワーク環境の例である。
【図１７】図１７は、ここでの態様を実現できる、多数のデバイスをサポートするように構成されている例示的なワイヤレス通信システムを図示している。
【図１８】図１８は、ネットワーク環境内でフェムトセルの配置を可能にする例示的な通信システムの例である。
【図１９】図１９は、いくつかの規定されたトラッキングエリアを有するカバレッジマップの例を図示している。
【詳細な説明】
【００３１】
図面を参照して、ここで、さまざまな態様を説明する。以下の説明では、説明の目的のため、１つ以上の態様の完全な理解を提供するために、多くの特定の詳細を述べる。しかしながら、これらの特定の詳細がなくても、このような態様を実施できることは明白である。
【００３２】
ここでさらに説明するように、１つ以上のアクセスポイントと通信しているデバイスによって生じる、フェムトセル配置中の干渉を、緩和することができる。例えば、マクロセルアクセスポイントと通信しており、フェムトセルアクセスポイントに対するしきい値レベルの干渉を少なくとも生じさせているデバイスに対して、周波数間ハンドオーバー（ＩＦＨＯ）をトリガすることができる。別の例では、フェムトセルアクセスポイントは、フェムトセルアクセスポイントと干渉している１つ以上のデバイスを担当するために、ハイブリッドアクセスモードで動作するように切り替えることができる。さらに、例えば、マクロセルアクセスポイントは、マクロセルアクセスポイントと通信しているデバイスのデータレートを限定して、デバイスの送信電力を低下させ、したがって、１つ以上の他のアクセスポイントに対する干渉を緩和することができる。さらに、別の例では、フェムトセルアクセスポイントは、マクロセルアクセスポイントと通信しているデバイスに対するＩＦＨＯを開始するために、ダウンリンク送信電力を増加させて、そのデバイスに対する干渉を生じさせることができる。さらに、フェムトセルアクセスポイントと通信しているデバイスによって生じる、マクロセルアクセスポイントに対する干渉を緩和するために、フェムトセルアクセスポイントは、カバレッジエリアを減少させることができる。
【００３３】
本出願中で使用するような、用語“コンポーネント”、“モジュール”、“システム”、および、これらに類似するものは、これらに限定されないが、ハードウェアや、ファームウェアや、ハードウェアとソフトウェアの組み合わせや、ソフトウェアや、または、実行中のソフトウェアのような、コンピュータ関連エンティティを含むことを意図している。例えば、コンポーネントは、これらに限定されないが、プロセッサ上で動作しているプロセス、プロセッサ、オブジェクト、実行ファイル、実行のスレッド、プログラム、および／または、コンピュータであってもよい。一例として、コンピューティングデバイス上で動作しているアプリケーションとコンピューティングデバイスの双方をコンポーネントとすることができる。１つ以上のコンポーネントが、プロセスおよび／または実行のスレッド内に存在することがあり、コンポーネントは、１つのコンピュータ上に局所化されていてもよく、および／または、２つ以上のコンピュータ間に分散されていてもよい。加えて、その上にさまざまなデータ構造を記憶させているさまざまなコンピュータ読取可能媒体から、これらのコンポーネントは実行できる。コンポーネントは、ローカルシステム中の、分散システム中の別のコンポーネントと対話する、および／または、インターネットのようなネットワークを通して、信号によって他のシステムと対話する、１つのコンポーネントからのデータのような、１つ以上のデータパケットを有する信号にしたがうような、ローカルおよび／または遠隔のプロセスによって通信してもよい。
【００３４】
さらに、ワイヤード端末またはワイヤレス端末とすることができる、端末に関連して、ここでさまざまな態様を説明する。端末は、システム、デバイス、加入者ユニット、加入者局、移動局、移動体、移動デバイス、遠隔局、遠隔端末、アクセス端末、ユーザ端末、端末、通信デバイス、ユーザエージェント、ユーザデバイス、または、ユーザ機器（ＵＥ）と呼ぶこともできる。ワイヤレス端末は、セルラ電話機、衛星電話機、コードレス電話機、セッション開始プロトコル（“ＳＩＰ”）電話機、ワイヤレスローカルループ（“ＷＬＬ”）局、パーソナルデジタルアシスタント（“ＰＤＡ”）、ワイヤレス接続能力を有するハンドヘルドデバイス、コンピューティングデバイス、または、ワイヤレスモデムに接続されている他の処理デバイスであってもよい。さらに、基地局に関連して、ここでさまざまな態様を説明する。基地局は、ワイヤレス端末と通信するために利用されてもよく、アクセスポイント、ノードＢ、進化型ノードＢ（ｅＮＢ）、Ｈ（ｅ）ＮＢ、または、他の何らかの専門用語とも呼ばれてもよい。
【００３５】
さらに、“または”という文言は、排他的な“または”というよりむしろ、包含的な“または”を意味することを意図している。すなわち、そうではないと述べられていない限り、または、文脈から明らかでない限り、“ＸがＡまたはＢを用いる”というフレーズは、自然な包含的順列のうちのいずれかを意味することを意図している。すなわち、“ＸがＡまたはＢを用いる”というフレーズは、以下の例のうちのいずれのものによっても満たされる：ＸがＡを用いる；ＸがＢを用いる；または、ＸがＡおよびＢの双方とも用いる。加えて、本願明細書および添付した特許請求の範囲中で使用される冠詞“ａ”および“ａｎ”は、そうではないと述べられていない限り、または、単数形を意図する文脈から明らかでない限り、一般的に、“１つ以上”を意味すると解釈すべきである。
【００３６】
ここで説明する技術は、ＣＤＭＡ、ＴＤＭＡ、ＦＤＭＡ、ＯＦＤＭＡ、ＳＣ−ＦＤＭＡ、および、他のシステムのような、さまざまなワイヤレス通信システムに対して使用してもよい。“システム”および“ネットワーク”という文言は、区別なく使用されることが多い。ＣＤＭＡシステムは、ユニバーサル地上無線アクセス（ＵＴＲＡ）、ｃｄｍａ２０００等のような、無線技術を実現してもよい。ＵＴＲＡは、ワイドバンドＣＤＭＡ（Ｗ−ＣＤＭＡ（登録商標））と、ＣＤＭＡの他の変形とを含んでいる。さらに、ｃｄｍａ２０００は、ＩＳ−２０００、ＩＳ−９５、および、ＩＳ−８５６標準規格をカバーしている。ＴＤＭＡシステムは、グローバルシステムフォーモバイルコミュニケーション（ＧＳＭ（登録商標））のような、無線技術を実現してもよい。ＯＦＤＭＡシステムは、進化型ＵＴＲＡ（Ｅ−ＵＴＲＡ）や、ウルトラモバイルブロードバンド（ＵＭＢ）や、ＩＥＥＥ８０２．１１（ＷｉＦｉ（登録商標））や、ＩＥＥＥ８０２．１６（ＷｉＭＡＸ）や、ＩＥＥＥ８０２．２０や、フラッシュＯＦＤＭ（登録商標）等のような、無線技術を実現してもよい。ＵＴＲＡおよびＥ−ＵＴＲＡは、ユニバーサルモバイルテレコミュニケーションシステム（ＵＭＴＳ）の一部である。３ＧＰＰロングタームエボリューション（ＬＴＥ）は、ダウンリンク上ではＯＦＤＭＡを用いて、アップリンク上ではＳＣ−ＦＤＭＡを用いるＥ−ＵＴＲＡを使用するＵＭＴＳのリリースである。ＵＴＲＡと、Ｅ−ＵＴＲＡと、ＵＭＴＳと、ＬＴＥと、ＧＳＭとは、“第三世代パートナーシッププロジェクト”（３ＧＰＰ）という名の組織による文書中に記述されている。さらに、ｃｄｍａ２０００とＵＭＢは、“第三世代パートナーシッププロジェクト２”（３ＧＰＰ２）という名の組織による文書中に記述されている。さらに、このようなワイヤレス通信システムは、対でないライセンスされていないスペクトル、８０２．ｘｘワイヤレスＬＡＮ、ブルートゥース（登録商標）、および、他の何らかの短距離または長距離のワイヤレス通信技術を使用することが多い、ピア・ツー・ピア（例えば、移動体対移動体）アドホックネットワークシステムをさらに含んでもよい。
【００３７】
多数のデバイス、コンポーネント、モジュール、および、これらに類似するものを含んでもよいシステムの観点から、さまざまな態様または特徴を提示する。さまざまなシステムは、追加のデバイス、コンポーネント、モジュール等を含んでもよく、および／または、図面に関連して論じるデバイス、コンポーネント、モジュール等のすべてを含まなくてもよいことを理解し、正しく認識すべきである。これらのアプローチの組み合わせもまた使用してもよい。
【００３８】
図１を参照すると、可能性あるアクセスポイント干渉を有する例示的なワイヤレス通信システム１００が図示されている。システム１００は、ワイヤレスネットワークに対するアクセスを受信する担当アクセスポイント１０４と、および／または、ワイヤレスネットワークの１つ以上のコンポーネントと、通信することができるデバイス１０２を含んでいる。システム１００は、デバイス１０２が潜在的に干渉する別のアクセスポイント１０６もまた含むことができる。デバイス１０２は、ＵＥ、モデム（または、他のテザリングされているデバイス）、これらの一部、ならびに／あるいは、これらに類似するものとすることができる。アクセスポイント１０４および／または１０６は、それぞれ、マクロセルアクセスポイント、フェムトセルアクセスポイント（例えば、ホームノードＢまたはホーム進化型ノードＢ、ここではまとめてＨ（ｅ）ＮＢと呼ぶ）、ピコセルアクセスポイント、マイクロセルアクセスポイント、移動体基地局、中継ノード、（例えば、ピア・ツー・ピアまたはアドホックモードで通信している）デバイス、これらの一部、および／または、これらに類似するものとすることができる。
【００３９】
例にしたがうと、担当アクセスポイント１０４は、デバイス１０２と通信するためにデバイス１０２に信号を送信でき、（例えば、デバイス１０２がアクセスポイント１０６のしきい値の地理的な範囲内にある場合に、）デバイス１０２は、担当アクセスポイント１０４に信号１１０を送信している間、アクセスポイント１０６と潜在的に干渉することがある。ここで説明するのは、このような干渉１１２を緩和するためのさまざまな向上である。１つの例では、担当アクセスポイント１０４は、マクロセルアクセスポイント、または、計画された配置による別のアクセスポイントとすることができ、アクセスポイント１０６は、計画されていない配置によるフェムトセル、ピコセル、マイクロセル等のアクセスポイントとすることができる。デバイス１０２からアクセスポイント１０６への干渉１１２は、少なくとも部分的に、アクセスポイント１０６の計画されていない配置の結果、起こることがある。
【００４０】
１つの例では、デバイス１０２が、アクセスポイント１０６のしきい値距離内で移動するときに、および／または、デバイス１０２が、アクセスポイント１０６に対するしきい値レベルの干渉を生じさせるときに、担当アクセスポイント１０４は、デバイス１０２のＩＦＨＯを促進するために、デバイス１０２に関するＩＦＨＯハンドオーバしきい値を下げることができる。この例では、デバイス１０２は、アクセスポイント１０６に関する１つ以上のパラメータを担当アクセスポイント１０４に通知することができ、担当アクセスポイント１０４は、この１つ以上のパラメータから、デバイスに対するＩＦＨＯしきい値を修正するか否かを見分けることができる。例えば、デバイス１０２が別の周波数にハンドオーバされるとき、デバイス１０２は、それに応じて、異なる周波数にわたって通信するようになることから、デバイス１０２が、アクセスポイント１０６の通信と干渉しなくなる可能性がある。
【００４１】
別の例では、アクセスポイント１０６は、デバイス１０２からのしきい値レベルを超える干渉を検出することができ、デバイス１０２のような、アクセスポイント１０６と干渉しているデバイスが、アクセスポイント１０６にハンドオーバすることができるように、（例えば、クローズドアクセスモードから）ハイブリッドアクセスモードまたはオープンアクセスモードに切り替えることができる。この例では、アクセスポイント１０６は、測定されたノイズレベルに少なくとも部分的に基づいて、干渉を検出でき、デバイス１０２からの通信をデコード等する（例えば、さらに、デバイス１０２が、担当されているデバイスではないと決定する）。さらに別の例では、担当アクセスポイント１０４は、（例えば、アクセスポイント１０６に関する１つ以上のパラメータをデバイス１０２から受信したことに基づいて、アクセスポイント１０６に対するバックホールリンク１１４を開始することによって、）デバイス１０２からの可能性ある干渉をアクセスポイント１０６に通知することができる。したがって、ハイブリッドアクセスモードまたはオープンアクセスモードに切り替わったときに、デバイス１０２は、担当アクセスポイント１０４からアクセスポイント１０６にハンドオーバできる。
【００４２】
さらに、ある例では、デバイス１０２が、アクセスポイント１０６に対するしきい値レベルの干渉を生じさせることがあるときに、担当アクセスポイント１０４は、担当アクセスポイント１０４と通信しているデバイス１０２に対するデータレートを限定できる。例えば、担当アクセスポイント１０４は、デバイス１０２に割り当てられるリソースの数を少なくすることができる。いずれのケースでも、担当アクセスポイント１０４は、さらにまたは代替的に、担当アクセスポイント１０４からのパイロット信号の強度および／または品質のデバイス１０２における観測に部分的に基づいて、データレートを下げることができる。また、ある例では、しきい値レベルを超える熱による上昇（rise-over-thermal）（ＲｏＴ）や、しきい値レベルを超えるアップリンク受信信号強度指示（ＲＳＳＩ）や、担当アクセスポイント１０４から受信した可能性ある干渉の指示等を検出したことに基づくことができる、１つ以上のデバイスからの干渉を、アクセスポイント１０６は検出でき、場合によってはデバイス（例えば、デバイス１０２）のＩＦＨＯを生じさせるために、それにしたがってアクセスポイント１０６の送信電力をブーストすることができる。この例では、デバイス１０２が、干渉またはノイズレベルを担当アクセスポイント１０４に報告し、担当アクセスポイントが、ＩＦＨＯしきい値を超える干渉またはノイズレベルに基づいて、別の周波数にあるアクセスポイントへのＩＦＨＯをトリガすることができる。
【００４３】
別の例では、担当アクセスポイント１０４は、フェムトセルアクセスポイントとすることができ、担当アクセスポイント１０４と通信しているデバイス１０２は、マクロセルアクセスポイント１０６に対する干渉を生じさせることがある。この例では、担当アクセスポイント１０４は、ダウンリンクカバレッジ要件およびダウンリンク送信電力制限に基づくだけではなく、デバイス１０２のならびに／あるいは担当アクセスポイント１０４によって担当されている他のデバイスのアップリンク性能および干渉にも基づいて、パス損失エッジターゲットを決定できる。したがって、例えば、アクセスポイント１０６に対して生じる干渉が担当アクセスポイント１０４に通知されるか、または、そうでなければ、アクセスポイント１０６に対して生じる干渉を担当アクセスポイント１０４が決定した場合に、担当アクセスポイント１０４は、パス損失エッジターゲットを減少させることができ、これにより、担当アクセスポイント１０４のカバレッジエリアを修正し、アクセスポイント１０６または１つ以上の他のアクセスポイントにデバイス１０２をハンドオーバさせることができる。
【００４４】
図２を見ると、アクセスポイントと通信しているデバイスによって生じる干渉を緩和するための例示的なワイヤレス通信システム２００が図示されている。説明したように、システム２００は、ワイヤレスネットワークアクセスを受信する担当アクセスポイント２０４と通信するデバイス２０２を含む。加えて、システム２００は、担当アクセスポイント２０４との通信に少なくとも部分的に起因して、デバイスが潜在的に干渉する別のアクセスポイント２０６を含むことができる。例えば、担当アクセスポイント２０４の配置は、担当アクセスポイント２０４、デバイス２０２、または、担当アクセスポイント２０４と通信している他のデバイスによって生じるか否か等にかかわらず、担当アクセスポイント２０４の付近にある（示されていない）他のアクセスポイントに対する干渉を結果として生じさせる。説明したように、例えば、デバイス２０２は、ＵＥ、モデム等とすることができ、担当アクセスポイント２０４およびアクセスポイント２０６は、それぞれ、マクロセルアクセスポイント、フェムトセルアクセスポイント、ピコセルアクセスポイント、または、類似するアクセスポイント、Ｈ（ｅ）ＮＢ、移動体基地局、（例えば、ピア・ツー・ピアまたはアドホックモードで通信する）デバイス、これらの一部、ならびに／あるいは、これらに類似するものとすることができる。
【００４５】
デバイス２０２は、１つ以上のアクセスポイントからの信号を受信して解析するためのアクセスポイント測定コンポーネント２０８、および／または、１つ以上のアクセスポイントに信号の測定値を通信するための測定報告コンポーネント２１０をオプション的に含むことができる。担当アクセスポイント２０４は、１つ以上のデバイスによって生じる潜在的な干渉のレベルを見分けるための干渉決定コンポーネント２１２と、潜在的な干渉のレベルに基づいて、１つ以上のデバイスに対するＩＦＨＯしきい値を調節するためのオプション的なＩＦＨＯしきい値修正コンポーネント２１４とを含むことができる。担当アクセスポイント２０４はまた、潜在的な干渉のレベルに基づいて、１つ以上のデバイスに対するデータレートを調節するためのデータレート決定コンポーネント２１６、および／または、調節したデータレートに基づいて、リソース割り振りを修正するためのスケジューリングコンポーネント２１８をオプション的に含む。
【００４６】
例にしたがうと、デバイス２０２は、ワイヤレスネットワークにおけるアクセスを受信する担当アクセスポイント２０４と通信することができ、干渉決定コンポーネント２１２は、１つ以上のアクセスポイントに対するデバイス２０２の潜在的な干渉を決定できる。例えば、アクセスポイント２０６のような特定のアクセスポイントに関して、または、さらに一般的には、デバイス２０２に関するパラメータに基づいて、潜在的な干渉を決定できる。１つの例では、アクセスポイント測定コンポーネント２０８は、アクセスポイント２０６のような他のアクセスポイントからの信号を周期的に測定でき、測定報告コンポーネント２１０は、担当アクセスポイント２０４に測定値を報告できる。
【００４７】
例えば、これは、担当アクセスポイント２０４が測定報告を評価して、（例えば、他のアクセスポイントのうちの１つ以上が、デバイス２０２における担当アクセスポイント２０４の測定値と比べて改善された信号測定値を有している場合に、）他のアクセスポイントのうちの１つ以上にデバイス２０２をハンドオーバするか否かを決定できるように、測定報告コンポーネント２１０が、他のアクセスポイントへの示されている信号測定値（例えば、信号対ノイズ比（ＳＮＲ）、総電力Ｉｏに対する受信信号電力Ｅｃｐ、あるいは、他の信号強度または品質測定値等）の測定報告を構築する、ハンドオーバ手順の一部とすることができる。これは、１つ以上のワイヤレス通信技術における、ハンドオーバまたは再選択の一部とすることができる。別の例では、アクセスポイント測定コンポーネント２０８が、タイマーまたは他のイベントにしたがって、担当アクセスポイント２０４からの要求に基づいて、および／または、これらに類似するものに基づいて、１つ以上のアクセスポイントを測定できる。
【００４８】
ある例では、干渉決定コンポーネント２１２は、デバイス２０２が、アクセスポイント２０６のような１つ以上のアクセスポイントに対する干渉を潜在的に生じさせるかもしれないことを決定できる。例えば、これは、デバイス２０２から測定報告を受信することと、干渉を示すためにしきい値レベルを設定できる場合に、アクセスポイント２０６からの信号の測定値（例えば、ＳＮＲ）がしきい値レベルを超えていること、および／または、対応するデバイスがほとんど干渉していることを決定することとを含むことができる。したがって、この例では、信号測定値に基づくと、デバイス２０２は、アクセスポイント２０６に対する干渉を生じさせるかもしれないような、または、アクセスポイント２０６に対する干渉をまさに生じさせ始めようとしているような、アクセスポイント２０６の距離内にある。別の例では、干渉決定コンポーネント２１２は、アクセスポイント２０６から（例えば、バックホールリンクを通して）干渉の指示を受信したことに基づいて、デバイス２０２の干渉を決定できる。
【００４９】
さらに、ある例では、干渉決定コンポーネント２１２は、一般に、担当アクセスポイント２０４からの信号の報告された測定値に少なくとも部分的に基づいて、１つ以上のアクセスポイントに対するデバイス２０２の潜在的な干渉を検出できる。例えば、これは、チャネル品質インジケータ（ＣＱＩ）として、または、類似する制御情報として、デバイス２０２によって、制御チャネルを通して報告できる。したがって、この例では、測定報告がなくとも干渉を決定できる。信号の報告された測定値（例えば、ＳＮＲ）が、しきい値レベルを下回っている場合に、これは、デバイス２０２が、担当アクセスポイント２０４からのパイロット信号を妨害することがある別のアクセスポイントの近くにあることを示すことができる。
【００５０】
いずれのケースでも、１つ以上の態様において、いったん、潜在的な干渉が決定されると、担当アクセスポイント２０４は、アクセスポイント２０６に対するこのような干渉を緩和しようと試みることができる。１つの例では、ＩＦＨＯしきい値修正コンポーネント２１４が、デバイス２０２に周波数間ハンドオーバを実行させるために、潜在的な干渉に基づいて、デバイス２０２に対するＩＦＨＯしきい値を調節できる。説明したように、担当アクセスポイント２０４は、デバイス２０２によって報告された担当アクセスポイント２０４の測定値（例えば、ＳＮＲ）が、しきい値レベル（例えば、マクロセルアクセスポイントに対して、−１６デシベル（ｄＢ））よりも小さい場合に、デバイスのＩＦＨＯの実行を促進するために、デバイスに対するＩＦＨＯしきい値を定めることができる。デバイスは、それにしたがって、１つ以上のタイマーに基づいて周期的に、１つ以上のイベントに基づいて、および／または、これらに類似するものに基づいて、測定報告により信号測定値を報告できる。
【００５１】
したがって、（例えば、測定報告中等で受信したアクセスポイント２０６のＳＮＲまたは類似するメトリックがしきい値レベルを超えていると決定したことに基づいて、）干渉決定コンポーネント２１２が、アクセスポイント２０６に対するデバイス２０２の潜在的な干渉を決定した場合に、ＩＦＨＯしきい値修正コンポーネント２１４は、デバイス２０２に対するＩＦＨＯしきい値を減少させることができる。デバイス２０２がアクセスポイント２０６に近づいている場合に、アクセスポイント２０６から追加のノイズを受信するため、担当アクセスポイント２０４に対する、デバイスの報告される信号測定値が減少することがある。したがって、ＩＦＨＯしきい値の減少は、デバイス２０２に、ＩＦＨＯをより早く実行させることができる。いったん、ＩＦＨＯが実行されると、デバイス２０２は別の周波数上にあるため、デバイス２０２は、もはや、アクセスポイント２０６と干渉しない（および／または、デバイス２０２が隣接する周波数にハンドオーバされるケースでは、干渉を少なくすることができる）。ＩＦＨＯしきい値修正コンポーネント２１４は、潜在的な干渉にしたがって、ＩＦＨＯしきい値を固定値で調節できる（例えば、アクセスポイント２０６の報告された信号測定値に少なくとも部分的に基づいて、調節値を決定できる）こと等を正しく認識すべきである。
【００５２】
別の例では、アクセスポイント２０６のような１つ以上のアクセスポイントに対するデバイス２０２の潜在的な干渉を決定したときに、担当アクセスポイント２０４は、干渉の発生を緩和するために、デバイス２０２に対するデータレートを限定できる。この例では、干渉を決定したことに基づいて、データレート決定コンポーネント２１６が、最大許容データレートのような、デバイス２０２に対するデータレートを減少させることができる。１つの例では、これは、データレートの限定に基づいて、デバイス２０２に対するリソース割り振りを修正するスケジューリングコンポーネント２１８を含むことができる。同様に、ＩＦＨＯしきい値と同じように、決定された潜在的な干渉の関数および／またはこれに類似するもののような、固定値で、データレートを調節できる。加えて、データレート決定コンポーネント２１６は、干渉のおそれがなくなったとき（例えば、アクセスポイント２０６または他のアクセスポイントの報告された信号測定値が、しきい値レベルより下に減少したとき等）に、データレートを増加させることができる。
【００５３】
図３を参照すると、別のアクセスポイントと通信している１つ以上のデバイスからの干渉を緩和するための例示的なワイヤレス通信システム３００が図示されている。システム３００は、ワイヤレスネットワークに対するアクセスを受信する担当アクセスポイント３０４と通信するデバイス３０２を含む。システム３００はまた、アクセスポイント３０４に信号を送信している間、デバイス３０２が潜在的に干渉することがあるアクセスポイント３０６も含む（これは、アクセスポイント３０６と通信しているデバイスとの干渉も含むことがある）。この点について、例えば、担当アクセスポイント３０４および／またはアクセスポイント３０６は、互いの付近内に配置されていることがある。説明したように、デバイス３０２は、ＵＥ、モデム等とすることができ、担当アクセスポイント３０４および／またはアクセスポイント３０６は、それぞれ、マクロセル、フェムトセル、または、ピコセルのアクセスポイント等とすることができる。
【００５４】
アクセスポイント３０６は、１つ以上のデバイスがアクセスポイント３０６からの通信と潜在的に干渉することを決定するための干渉検出コンポーネント３０８、潜在的な干渉に基づいて、アクセスポイント３０６のアクセスモードを修正するためのオプション的なアクセスモードコンポーネント３１０、および／または、潜在的な干渉に基づいて、アクセスポイント３０６のダウンリンク送信電力を調節するためのオプション的なダウンリンク送信電力コンポーネント３１２を含む。
【００５５】
例にしたがって、デバイス３０２は、ワイヤレスネットワークアクセスを受信する担当アクセスポイント３０４と通信することができ、担当アクセスポイント３０４と通信しているときにアクセスポイント３０６と干渉することがある。例えば、デバイス３０２は、マクロセルアクセスポイントとすることができる担当アクセスポイント３０４と通信している間、フェムトセルアクセスポイントとすることができるアクセスポイント３０６の近くにあることがある。しかしながら、アクセスポイント３０６は、閉じられた加入者グループ（ＣＳＧ）のメンバーデバイスに対してまたはデバイス３０２がメンバーではない他の制限されたアソシエーションに対してアクセスを提供するクローズドアクセスモードで、アドバタイズまたは動作することができる。例えば、干渉検出コンポーネント３０８は、担当アクセスポイント３０４に向けられているデバイス３０２からの信号を受信したことや、（例えば、図２を参照して説明したように、担当アクセスポイント３０４が潜在的な干渉を決定したことに基づいて、）担当アクセスポイント３０４に対するバックホールリンクを通して、担当アクセスポイント３０４から干渉または潜在的な干渉の通知を受信したことや、および／または、これらに類似することに少なくとも部分的に基づいて、メンバーでないデバイスであるデバイス３０２からの干渉を決定できる。別の例では、干渉検出コンポーネント３０８は、総ワイドバンド電力測定値、ＲｏＴ測定値、セル外（out -of-cell）干渉測定値（例えば、ノイズレベルＮｏに対する総電力レベルＩｏＣの測定）、ならびに／あるいは、これらに類似するものに基づいて、干渉および／または干渉のレベルを決定できる。
【００５６】
１つの例では、デバイス３０２からの干渉を検出したときに、および／または、しきい値レベルを超える干渉を検出したときに、アクセスモードコンポーネント３１０は、メンバーでない干渉デバイス３０２がアクセスポイント３０６と通信できるように、ハイブリッドアクセスモードまたはオープンアクセスモードをアドバタイズすることを決定できる。この例では、デバイス３０２は、（例えば、アクセスポイント３０６によって送信されるシステム情報ブロック中で、）ハイブリッドアクセスモードまたはオープンアクセスモードをアドバタイズする、アクセスポイント３０６からの信号を検出でき、アクセスポイント３０６がハイブリッドアクセスモードまたはオープンアクセスモードにあるという決定に基づいて、ハンドオーバに対する測定報告中にアクセスポイント３０６を含めることができる。担当アクセスポイント３０４は、その後、測定報告を受信し、アクセスポイント３０６に対する報告された無線条件が担当アクセスポイント３０４の無線条件に比べて改善されていると決定したときに、デバイス３０２をアクセスポイント３０６にハンドオーバすることができる。したがって、デバイス３０２は、アクセスポイント３０６と干渉する代わりに、アクセスポイント３０６と通信できる。加えて、いったん、デバイス３０２が、アクセスポイント３０６から別のアクセスポイントにハンドオーバされるか、または、アクセスポイント３０６におけるデバイス３０２との通信がそうではない方法で終わると、１つの例では、アクセスモードコンポーネント３１０は、クローズドアクセスモードに戻るように切り替えることができる。
【００５７】
別の例では、検出された干渉および／または干渉のレベルに基づいて、ダウンリンク送信電力コンポーネント３１２が、アクセスポイント３０６のダウンリンク送信電力を修正できる。例えば、アクセスポイント３０６のダウンリンク送信電力を増加またはブーストすることによって、デバイス３０２が、より低い信号対干渉比を担当アクセスポイント３０４に報告することがある。その理由は、アクセスポイント３０６によって生じるデバイス３０２に対する干渉が、増加しているからである。したがって、上述したように、このことは、その比がしきい値レベルを下回っている場合に、担当アクセスポイント３０４に、デバイス３０２のＩＦＨＯを開始させることができ、その場合には、デバイス３０２はもはやアクセスポイント３０６と干渉することはない。
【００５８】
例えば、ダウンリンク送信電力コンポーネント３１２は、電力ブースティングパターンにしたがって、ダウンリンク送信電力をブーストすることができる。電力のブーストは、Ｎバーストからなる１つ以上のクラスタにグループ分けすることができ、ここで、Ｎは、正の整数であり、各バーストは、関係する時間期間を有することができる。各バーストに対して、ダウンリンク送信電力コンポーネント３１２は、ダウンリンク送信電力をインクリメントすることができる。例えば、いったん、ダウンリンク送信電力コンポーネント３１２が、Ｎバーストに達すると、ダウンリンク送信電力コンポーネント３１２は、１つ以上の隣接アクセスポイントに対する干渉が生じないように、別の時間期間の間、ダウンリンク送信電力のブースティングを止めることができる。さらに、例えば、ダウンリンク送信電力コンポーネント３１２は、デバイス３０２に対する制御チャネルのダウンリンク送信電力、データチャネルのダウンリンク送信電力、および／または、これらに類似するものをブーストすることができる。加えて、他のアクセスポイントと通信している他のデバイスに対して生じるバースト的な干渉を緩和するように、時間期間および電力ブースティング値を選択できる。いったん、干渉がデバイス３０２からもはや検出されなくなる（例えば、デバイス３０２がＩＦＨＯを実行して、現在は異なる周波数上で動作している）と、ダウンリンク送信電力コンポーネント３１２は、元々のダウンリンク送信電力に戻ることができる。
【００５９】
図４は、総ダウンリンク送信電力を経時的に示している例示的なダウンリンク送信電力ブースティングパターンのグラフ４００を図示している。説明したように、ブーストしたダウンリンク送信電力に基づくさらに高いノイズレベルを、干渉しているデバイスが決定したことに基づいて、そのデバイスに対するＩＦＨＯを実行させようとして、干渉を検出したときに、アクセスポイントに対するダウンリンク送信電力をブーストすることができる。アクセスポイントに対する元々の電力レベルは、４０２におけるものであるとすることができる。上述したように、１つ以上のデバイスからの干渉を検出したときに、時間期間４０４の間、ダウンリンク送信電力をレベル４０６にブーストすることができる。説明したように、この点について、ダウンリンク送信電力をブーストすることは、干渉デバイスに、そのデバイスに対するＩＦＨＯを生じさせることができる担当基地局に対して、追加のノイズを報告させることができる。アクセスポイントは、時間期間４０８の間、ダウンリンク送信電力を元々のレベル４０２に下げることができる。しかしながら、時間期間４０８の後に、デバイスが依然として干渉している場合には、アクセスポイントは、干渉しているデバイスに対してＩＦＨＯを生じさせようとして、４１０の差分だけダウンリンク送信電力をブーストして、レベル４１２にすることができ、そして、バーストのクラスタ中の最後のバースト４１４までブーストすることができる。その後、隣接セルデバイスに対するダウンリンク干渉を生じさせないように、拡張された時間期間４１６の間、デバイスは、元々の電力レベル４０２に戻ることができる。その後、時間期間４１６の後に、依然として干渉が存在する場合には、干渉が静まるまで、上述したように、別のクラスタのダウンリンク送信電力ブースト（または、その一部）が発生することがある。
【００６０】
図５を参照すると、デバイスが、１つ以上のアクセスポイントと干渉しないようにするための例示的なワイヤレス通信システム５００が図示されている。システム５００は、ワイヤレスネットワークに対するアクセスを受信する担当アクセスポイント５０４と通信するデバイス５０２を含む。説明したように、例えば、デバイス５０２は、担当アクセスポイント５０４に信号を送信している間、アクセスポイント５０６と潜在的に干渉することがあり（これは、アクセスポイント５０６と通信しているデバイスとの干渉を含むことがある）、および／または、逆もまた同じである。この点について、例えば、アクセスポイント５０４および／または５０６は、互いの付近内に配置されていることがある。説明したように、デバイス５０２は、ＵＥ、モデム等とすることができ、アクセスポイント５０４および／または５０６は、それぞれ、マクロセル、フェムトセル、または、ピコセルのアクセスポイント等とすることができる。
【００６１】
担当アクセスポイント５０４は、１つ以上のデバイスが、１つ以上の他のアクセスポイントに対する干渉を生じさせるかもしれない、または、生じさせていることを決定するための干渉決定コンポーネント５０８と、担当アクセスポイント５０４のパス損失エッジターゲットを修正して、干渉を緩和するためのパス損失エッジターゲット調節コンポーネント５１０とを含むことができる。パス損失エッジターゲットは、担当アクセスポイント５０４のカバレッジのエッジにおいて経験される所望のパス損失に関するものとすることができる。したがって、パス損失エッジターゲットを調節することにより、事実上、担当アクセスポイント５０４のカバレッジを調節することができる。例えば、担当アクセスポイント５０４と通信している１つ以上のデバイスによって報告されたような、エッジにおけるターゲットパス損失を達成するために、パス損失エッジターゲットから、担当アクセスポイント５０４に対する送信電力を計算できる。
【００６２】
例にしたがうと、説明したように、デバイス５０２は、担当アクセスポイント５０４に信号を送信しているときに、アクセスポイント５０６に対する干渉を生じさせることがある。上述したように、例えば、干渉決定コンポーネント５０８は、（例えば、ハンドオーバに対する測定報告中で）デバイス５０２から受信したアクセスポイント５０６の測定値や、担当アクセスポイント５０４によるパイロット送信のデバイス５０２において決定されたＳＮＲ、および／または、これらに類似するものに基づいて、干渉を決定できる。加えて、説明したように、アクセスポイント５０６は、バックホールリンクを通して、デバイス５０２からの干渉を担当アクセスポイント５０４に通知できる。
【００６３】
デバイス５０２のような１つ以上のデバイスによって生じる、アクセスポイント５０６のような１つ以上のアクセスポイントに対する干渉を、干渉決定コンポーネント５０８が決定したときに、パス損失エッジターゲット調節コンポーネント５１０は、担当アクセスポイント５０４のカバレッジエリアを減少させるために、パス損失エッジターゲットを修正できる。１つの例では、パス損失エッジターゲット調節コンポーネント５１０は、ダウンリンクカバレッジ要件およびダウンリンク送信電力制限にさらに部分的に基づいて、担当アクセスポイント５０４の初期化時に、パス損失エッジターゲットを修正できる。例えば、説明したように、決定した干渉のレベルの関数として、パス損失エッジターゲットを減少させて、担当アクセスポイント５０４のカバレッジエリアを縮小させることができる。これは、そうでなければ担当アクセスポイント５０４と通信するだろうデバイス５０２に、別のアクセスポイントと通信させることができ、デバイスは、それにしたがって、アクセスポイント５０６に対する干渉を緩和してもよい。
【００６４】
図６〜９を参照すると、ワイヤレス通信中で干渉を緩和するための例示的な方法が説明されている。説明を簡単にする目的のために、一連の動作として方法を示し説明しているが、いくつかの動作は、１つ以上の実施形態にしたがって、ここで示し説明しているものとは異なる順序で、および／または、他の動作と同時に、起こることがあるので、方法は、動作の順序によって限定されないことを理解し、正しく認識すべきである。例えば、状態図のような、一連の相互に関連する状態またはイベントとして、代替的に方法を表すことができることを正しく認識すべきである。さらに、１つ以上の実施形態にしたがって、方法を実現するために、示されているすべての動作が必要とされなくてもよい。
【００６５】
図６を参照すると、ワイヤレスネットワーク中で干渉を緩和するための例示的な方法６００が説明されている。６０２において、担当されているデバイスが１つ以上のアクセスポイントに潜在的に干渉することを決定できる。説明したように、これは、担当されているデバイスからの１つ以上のアクセスポイントの測定値や、デバイスによって報告されたパイロットＳＮＲ測定値、バックホール接続を通しての１つ以上のアクセスポイントからの干渉の受信した指示、および／または、これらに類似するものに、少なくとも部分的に基づいて、決定できる。６０４において、決定に少なくとも部分的に基づいて、担当されているデバイスに対するＩＦＨＯしきい値またはデータレートを調節できる。したがって、例えば、ＩＦＨＯしきい値を減少させることは、デバイスからのさらなる干渉を緩和するために、デバイスに、ＩＦＨＯを実行させる可能性がある。データレートの修正は、デバイスに対するリソース割り振りを少なくすることによって、デバイスからの干渉の発生を緩和することができる。
【００６６】
図７を見ると、アクセスモードを切り替えて、干渉を緩和する例示的な方法７００が示されている。７０２において、メンバーデバイスとの通信を可能にするクローズドアクセスモードを動作できる。例えば、クローズドアクセスモードは、ＣＳＧ中のデバイスに、制限されたアクセスを提供できる。７０４において、１つ以上のアクセスポイントによって担当されている１つ以上のメンバーでないデバイスからの干渉を検出できる。例えば、１つ以上のアクセスポイントに向けられている１つ以上のメンバーでないデバイスからの信号を受信することによって、干渉を検出できる。別の例では、１つ以上のアクセスポイントが、干渉を知らせることができる。７０６において、検出した干渉に基づいて、１つ以上のメンバーでないデバイスとの通信が可能になるように、ハイブリッドアクセスモードまたはオープンアクセスモードに切り替えることができる。したがって、１つ以上のアクセスポイントからデバイスをハンドオーバできるようにすることによって、干渉を緩和できる。
【００６７】
図８を参照すると、送信電力をブーストして１つ以上のデバイスからの干渉を緩和する例示的な方法８００が説明されている。８０２において、１つ以上のアクセスポイントと通信している１つ以上のデバイスからの干渉を検出できる。例えば、１つ以上のデバイスから受信した測定値、１つ以上のデバイスからの報告されたパイロットＳＮＲ、１つ以上のアクセスポイントとのバックホール接続を通して受信した干渉の指示、および／または、これらに類似するものに、少なくとも部分的に基づいて、干渉を検出できる。８０４において、干渉の検出に基づいて、経時的なブースティングパターンにしたがって、ダウンリンク送信電力を増加させることができる。説明したように、ブースティングパターンは、１つ以上のデバイスからの干渉がもはや検出されなくなるまで、１つ以上のブーストクラスタにわたって電力のブースティングをエスカレートさせる、予め規定された、または、ハードコード化され、コンフィギュレーションされる等したパターンとすることができる。
【００６８】
図９を見ると、潜在的な干渉を決定したことに基づいて、カバレッジエリアを修正するための例示的な方法９００が描写されている。９０２において、担当されているデバイスが１つ以上のアクセスポイントに潜在的に干渉することを決定できる。例えば、説明したように、これは、担当されているデバイスからの１つ以上のアクセスポイントの測定値、１つ以上のアクセスポイントから受信した干渉の指示、および／または、これらに類似するものに、少なくとも部分的に基づいて、決定できる。９０４において、決定に少なくとも部分的に基づいて、パス損失エッジターゲットを調節できる。したがって、パス損失エッジターゲットを調節したことに基づいて、カバレッジは、より小さくなることがある。例えば、これは、初期化時に実行することができ、したがって、より小さなカバレッジエリアに基づいて、潜在的な干渉が緩和される。その理由は、潜在的に干渉しているデバイスが、代わりに、１つ以上のアクセスポイントに接続することができるからである。
【００６９】
説明したように、ここで説明した１つ以上の態様にしたがって、干渉を決定または検出すること、ＩＦＨＯしきい値調節を、アクセスモードを切り替えるか否かを、ダウンリンク送信電力のブースティングを、パス損失エッジターゲット等を決定すること、および／または、これらに類似することに関して、推測を行うことができる。ここで使用するような、“推測する”または“推測”という用語は、一般的に、イベントおよび／またはデータを通して捕捉されるような１組の観測から、システム、環境、および／または、ユーザの状態について推理あるいは推測するプロセスのことを指す。推測は、特定の状況またはアクションを識別するために用いることができ、あるいは、例えば、状態に対する確率分布を発生させることができる。推測は、確率論的なものである−すなわち、データおよびイベントの考察に基づいての、対象の状態に対する確率分布の計算とすることができる。推測はまた、１組のイベントおよび／またはデータから、より高いレベルのイベントを構成するために用いられる技法のことを指すこともある。このような推測は、イベントが時間的に近いところで相関しているか否かにかかわらず、ならびに、イベントおよびデータが、１つまたはいくつかの、イベントならびにデータソースから到来したか否かにかかわらず、１組の観測されたイベントおよび／または記憶されたイベントデータからの、新しいイベントまたはアクションの構築を結果として生じさせる。
【００７０】
図１０は、ワイヤレス通信を使用する１つ以上のデバイスとの通信を促進するシステム１０００の例である。システム１０００は、実質的に何らかの基地局（例えば、フェムトセル、ピコセル等のような小型基地局、移動体基地局．．．）、中継器等とすることができる基地局１００２を含み、基地局１００２は、複数の受信アンテナ１００６（説明するように、例えば、これは、複数のネットワーク技術からなることができる）を通して１つ以上の移動デバイス１００４から信号を受信する受信機１０１０と、複数の送信アンテナ１００８（説明するように、例えば、これは、複数のネットワーク技術からなることができる）を通して１つ以上の移動デバイス１００４に送信する送信機１０３６とを有する。加えて、１つの例では、送信機１０３６は、ワイヤードフロントリンクを通して移動デバイス１００４に送信できる。受信機１０１０は、１つ以上の受信アンテナ１００６から情報を受け取ることができ、受け取った情報を復調する復調器１０１２と動作可能に関係付けられている。加えて、ある例では、受信機１０１０は、ワイヤードバックホールリンクから受信することができる。復調されたシンボルは、プロセッサ１０１４によって解析される。例えば、プロセッサ１０１４は、受信機１０１０が受け取った情報を解析するのに、および／または、送信機１００８による送信のための情報を発生させるのに専用のプロセッサ、基地局１００２の１つ以上のコンポーネントを制御するプロセッサ、ならびに／あるいは、受信機１０１０によって受け取った情報を解析し、送信機１００８による送信のための情報を発生させ、基地局１００２の１つ以上のコンポーネントを制御等するプロセッサとすることができる。
【００７１】
加えて、プロセッサ１０１０は、メモリ１０１６に結合でき、メモリ１０１６は、信号（例えば、パイロット）強度および／または干渉強度の推定に関する情報、移動デバイス１０１４（または（示されていない）異なる基地局）に送信されることになるまたは移動デバイス１０１４（または（示されていない）異なる基地局）から受信することになるデータ、ならびに／あるいは、決定した干渉、ＩＦＨＯしきい値、データレート等のような、ここで述べたさまざまなアクションならびに機能を実行することに関する、他の何らかの適切な情報を記憶する。
【００７２】
メモリ１０１６またはここで説明する他のデータ記憶装置は、揮発性メモリまたは不揮発性メモリのいずれかとすることができ、あるいは、揮発性メモリと不揮発性メモリの双方を含むことができることが正しく認識されるだろう。一例として、不揮発性メモリは、これらに限定されないが、リードオンリーメモリ（ＲＯＭ）、プログラム可能なＲＯＭ（ＰＲＯＭ）、電気的にプログラム可能なＲＯＭ（ＥＰＲＯＭ）、電気的に消去可能なＰＲＯＭ（ＥＥＰＲＯＭ）、または、フラッシュメモリを含むことができる。揮発性メモリは、外部キャッシュメモリとして動作するランダムアクセスメモリ（ＲＡＭ）を含むことができる。一例として、これらに限定されないが、同期ＲＡＭ（ＳＲＡＭ）、ダイナミックＲＡＭ（ＤＲＡＭ）、同期ＤＲＡＭ（ＳＤＲＡＭ）、ダブルデータレートＳＤＲＡＭ（ＤＤＲ ＳＤＲＡＭ）、向上されたＳＤＲＡＭ（ＥＳＤＲＡＭ）、同期リンクＤＲＡＭ（ＳＬＤＲＡＭ）、および、ダイレクトラムバスＲＡＭ（ＤＲＲＡＭ）のような、多くの形態で、ＲＡＭは利用可能である。主題的なシステムおよび方法のメモリ１０１６は、これらに限定されないが、これらのメモリと他の何らかの適切なタイプのメモリとを含むように意図されている。
【００７３】
プロセッサ１０１４は、さらに、干渉決定コンポーネント２１２および／または５０８に類似することができる干渉決定コンポーネント１０１８に、ＩＦＨＯしきい値修正コンポーネント２１４に類似することができるＩＦＨＯしきい値修正コンポーネント１０２０に、データレート決定コンポーネント２１６に類似することができるデータレート決定コンポーネント１０２２に、ならびに／あるいは、スケジューリングコンポーネント２１８に類似することができるスケジューリングコンポーネント１０２４に、オプション的に結合されている。プロセッサ１０１４は、さらに、干渉検出コンポーネント３０８に類似することができる干渉検出コンポーネント１０２６に、アクセスモードコンポーネント３１０に類似することができるアクセスモードコンポーネント１０２８に、ダウンリンク送信電力コンポーネント３１２に類似することができるダウンリンク送信電力コンポーネント１０３０に、ならびに／あるいは、パス損失エッジターゲット調節コンポーネント５１０に類似することができるパス損失エッジターゲット調節コンポーネント１０３２に、オプション的に結合され得る。
【００７４】
さらに、例えば、プロセッサ１０１４は、変調器１０３４を使用して、送信されることになる信号を変調し、送信機１０３６を使用して、変調した信号を送信できる。送信機１０３６は、Ｔｘアンテナ１００８を通して移動デバイス１００４に信号を送信できる。さらに、プロセッサ１０１４とは別のものであるとして描写されているが、干渉決定コンポーネント１０１８、ＩＦＨＯしきい値修正コンポーネント１０２０、データレート決定コンポーネント１０２２、スケジューリングコンポーネント１０２４、干渉検出コンポーネント１０２６、アクセスモードコンポーネント１０２８、ダウンリンク送信電力コンポーネント１０３０、パス損失エッジターゲット調節コンポーネント１０３２、復調器１０１２、および／または、変調器１０３４は、プロセッサ１０１４あるいは（示されていない）複数のプロセッサの一部とすることができ、または、プロセッサ１０１４による実行のためにメモリ１０１６中に命令として記憶できることを正しく認識すべきである。
【００７５】
図１１を参照すると、図示されているのは、１つ以上の担当されているデバイスによって生じる干渉を緩和するシステム１１００である。例えば、システム１１００は、アクセスポイント等の内に少なくとも部分的に存在できる。プロセッサ、ソフトウェア、または、これらの組み合わせ（例えば、ファームウェア）によって実現される機能を表す機能的ブロックとすることができる機能的ブロックを含むものとして、システム１１００が表されていることを正しく認識すべきである。システム１１００は、共に動作できる電気的コンポーネントの論理グルーピング１１０２を含む。例えば、論理グルーピング１１０２は、担当されているデバイスが１つ以上のアクセスポイントに潜在的に干渉することを決定するための電気的コンポーネント１１０４を含むことができる。説明したように、例えば、これは、担当されているデバイスから受信した１つ以上のアクセスポイントの測定値、担当されているデバイスによって報告された決定されたパイロットＳＮＲ、１つ以上のアクセスポイントからの指示等に基づいて、決定できる。
【００７６】
さらに、論理グルーピング１１０２は、決定に少なくとも部分的に基づいて、担当されているデバイスに対するＩＦＨＯしきい値またはデータレートを調節するための電気的コンポーネント１１０６を含むことができる。したがって、例えば説明したように、担当されているデバイスの決定された干渉に基づいて、担当されているデバイスが、いったん、１つ以上のアクセスポイントからのより低いしきい値レベルの干渉を経験すると、担当されているデバイスを別の周波数にハンドオーバするのを促進するために、ＩＦＨＯしきい値を下げることができ、および／または、担当されているデバイスに対する送信機会を少なくするのを促進するために、担当されているデバイスに対するデータレートを下げることができる。上述したように、例えば、電気的コンポーネント１１０４は、干渉決定コンポーネント２１２を含むことができる。加えて、上述したように、例えば、電気的コンポーネント１１０６は、ある態様では、ＩＦＨＯしきい値修正コンポーネント２１４および／またはデータレート決定コンポーネント２１６を含むことができる。
【００７７】
さらに、システム１１００は、電気的コンポーネント１１０４および１１０６に関係付けられている機能を実行するための命令を保持するメモリ１１０８を含むことができる。メモリ１１０８の外部にあるものとして示されているが、電気的コンポーネント１１０４および１１０６のうちの１つ以上がメモリ１１０８内に存在できることを理解すべきである。１つの例では、電気的コンポーネント１１０４および１１０６は、少なくとも１つのプロセッサを含むことができ、または、各電気的コンポーネント１１０４および１１０６は、少なくとも１つのプロセッサの対応するモジュールとすることができる。さらに、追加の例または代替的な例では、電気的コンポーネント１１０４および１１０６は、コンピュータ読取可能媒体を具備するコンピュータプログラムプロダクトとすることができ、ここで、各電気的コンポーネント１１０４および１１０６は、対応するコードとすることができる。
【００７８】
図１２を参照すると、図示されているのは、１つ以上のデバイスからの干渉を検出したことに基づいて、アクセスモードを切り替えるシステム１２００である。例えば、システム１２００は、アクセスポイント等の内に少なくとも部分的に存在できる。プロセッサ、ソフトウェア、または、これらの組み合わせ（例えば、ファームウェア）によって実現される機能を表す機能的ブロックとすることができる機能的ブロックを含むものとして、システム１２００が表されていることを正しく認識すべきである。システム１２００は、共に動作できる電気的コンポーネントの論理グルーピング１２０２を含む。例えば、論理グルーピング１２０２は、メンバーデバイスとの通信を可能にするクローズドアクセスモードで動作し、検出した干渉に基づいて、ハイブリッドアクセスモードまたはオープンアクセスモードに切り替えるための電気的コンポーネント１２０４を含むことができる。説明したように、例えば、これは、干渉しているデバイスを、それに対する干渉を緩和するシステム１２００に接続することを可能にする。
【００７９】
さらに、論理グルーピング１２０２は、１つ以上のアクセスポイントによって担当されている１つ以上のメンバーでないデバイスからの干渉を検出するための電気的コンポーネント１２０６を含むことができる。例えば説明したように、干渉の検出は、１つ以上のメンバーでないデバイスから受信した、１つ以上のアクセスポイントに向けられている信号を観測すること、１つ以上のアクセスポイントから潜在的な干渉の指示を受信すること、および／または、これらに類似することに、少なくとも部分的に基づくことができる。上述したように、例えば、電気的コンポーネント１２０４は、干渉検出コンポーネント３０８を含むことができる。加えて、上述したように、例えば、電気的コンポーネント１２０６は、ある態様では、アクセスモードコンポーネント３１０を含むことができる。
【００８０】
さらに、システム１２００は、電気的コンポーネント１２０４および１２０６に関係付けられている機能を実行するための命令を保持するメモリ１２０８を含むことができる。メモリ１２０８の外部にあるものとして示されているが、電気的コンポーネント１２０４および１２０６のうちの１つ以上がメモリ１２０８内に存在できることを理解すべきである。１つの例では、電気的コンポーネント１２０４および１２０６は、少なくとも１つのプロセッサを含むことができ、または、各電気的コンポーネント１２０４および１２０６は、少なくとも１つのプロセッサの対応するモジュールとすることができる。さらに、追加の例または代替的な例では、電気的コンポーネント１２０４および１２０６は、コンピュータ読取可能媒体を具備するコンピュータプログラムプロダクトとすることができ、ここで、各電気的コンポーネント１２０４および１２０６は、対応するコードとすることができる。
【００８１】
図１３を参照すると、図示されているのは、干渉しているデバイスに対するＩＦＨＯハンドオーバを生じさせようとするためのシステム１３００である。例えば、システム１３００は、アクセスポイント等の内に少なくとも部分的に存在できる。プロセッサ、ソフトウェア、または、これらの組み合わせ（例えば、ファームウェア）によって実現される機能を表す機能的ブロックとすることができる機能的ブロックを含むものとして、システム１３００が表されていることを正しく認識すべきである。システム１３００は、共に動作できる電気的コンポーネントの論理グルーピング１３０２を含む。例えば、論理グルーピング１３０２は、１つ以上のアクセスポイントと通信している１つ以上のデバイスからの干渉を検出するための電気的コンポーネント１３０４を含むことができる。例えば説明したように、干渉の検出は、１つ以上のメンバーでないデバイスから受信した、１つ以上のアクセスポイントに向けられている信号を観測すること、１つ以上のアクセスポイントから潜在的な干渉の指示を受信すること、および／または、これらに類似することに、少なくとも部分的に基づくことができる。
【００８２】
さらに、論理グルーピング１３０２は、干渉の検出に基づいて、経時的なブースティングパターンにしたがって、ダウンリンク送信電力を増加させるための電気的コンポーネント１３０６を含むことができる。したがって、例えば説明したように、干渉がもはや存在しなくなるまで（例えば、ダウンリンク送信電力ブースティングによってデバイスにもたらされた干渉に基づいて、そのデバイスに対してＩＦＨＯが実行されるまで）、１つ以上のクラスタ中で、時間間隔にわたって、１つ以上の値によってダウンリンク送信電力がブーストされる。上述したように、例えば、電気的コンポーネント１３０４は、干渉検出コンポーネント３０８を含むことができる。加えて、上述したように、例えば、電気的コンポーネント１３０６は、ある態様では、ダウンリンク送信電力コンポーネント３１２を含むことができる。
【００８３】
さらに、システム１３００は、電気的コンポーネント１３０４および１３０６に関係付けられている機能を実行するための命令を保持するメモリ１３０８を含むことができる。メモリモ１３０８の外部にあるものとして示されているが、電気的コンポーネント１３０４および１３０６のうちの１つ以上がメモリ１３０８内に存在できることを理解すべきである。１つの例では、電気的コンポーネント１３０４および１３０６は、少なくとも１つのプロセッサを含むことができ、または、各電気的コンポーネント１３０４および１３０６は、少なくとも１つのプロセッサの対応するモジュールとすることができる。さらに、追加の例または代替的な例では、電気的コンポーネント１３０４および１３０６は、コンピュータ読取可能媒体を具備するコンピュータプログラムプロダクトとすることができ、ここで、各電気的コンポーネント１３０４および１３０６は、対応するコードとすることができる。
【００８４】
図１４を参照すると、図示されているのは、決定した潜在的な干渉に基づいて、アクセスポイントに対するカバレッジエリアを決定するためのシステム１４００である。例えば、システム１４００は、アクセスポイント等の内に少なくとも部分的に存在できる。プロセッサ、ソフトウェア、または、これらの組み合わせ（例えば、ファームウェア）によって実現される機能を表す機能的ブロックとすることができる機能的ブロックを含むものとして、システム１４００が表されていることを正しく認識すべきである。システム１４００は、共に動作できる電気的コンポーネントの論理グルーピング１４０２を含む。例えば、論理グルーピング１４０２は、担当されているデバイスが１つ以上のアクセスポイントと潜在的に干渉することを決定するための電気的コンポーネント１４０４を含むことができる。説明したように、例えば、これは、担当されているデバイスから受信した１つ以上のアクセスポイントの測定値、担当されているデバイスによって報告された決定されたパイロットＳＮＲ、１つ以上のアクセスポイントからの指示等に基づいて、決定できる。
【００８５】
さらに、論理グルーピング１４０２は、決定に少なくとも部分的に基づいて、パス損失エッジターゲットを調節するための電気的コンポーネント１４０６を含むことができる。したがって、パス損失エッジターゲットに基づいて、実効カバレッジエリアが修正され、それ以外のものと接続しただろうデバイスが、１つ以上のアクセスポイントと接続でき、そのため、１つ以上のアクセスポイントに対する干渉を生じさせないことから、潜在的な干渉を緩和できる。上述したように、例えば、電気的コンポーネント１４０４は、干渉決定コンポーネント５０８を含むことができる。加えて、上述したように、例えば、電気的コンポーネント１４０６は、ある態様では、パス損失エッジターゲット調節コンポーネント５１０を含むことができる。
【００８６】
さらに、システム１４００は、電気的コンポーネント１４０４および１４０６に関係付けられている機能を実行するための命令を保持するメモリ１４０８を含むことができる。メモリ１４０８の外部にあるものとして示されているが、電気的コンポーネント１４０４および１４０６のうちの１つ以上がメモリ１４０８内に存在できることを理解すべきである。１つの例では、電気的コンポーネント１４０４および１４０６は、少なくとも１つのプロセッサを含むことができ、または、各電気的コンポーネント１４０４および１４０６は、少なくとも１つのプロセッサの対応するモジュールとすることができる。さらに、追加の例または代替的な例では、電気的コンポーネント１４０４および１４０６は、コンピュータ読取可能媒体を具備するコンピュータプログラムプロダクトとすることができ、ここで、各電気的コンポーネント１４０４および１４０６は、対応するコードとすることができる。
【００８７】
ここで図１５を参照すると、ここで提示するさまざまな実施形態にしたがった、ワイヤレス通信システム１５００が図示されている。システム１５００は、複数のアンテナグループを含むことができる基地局１５０２を含む。例えば、１つのアンテナグループは、アンテナ１５０４およびアンテナ１５０６を含むことができ、別のグループは、アンテナ１５０８およびアンテナ１５１０を含むことができ、その他のグループは、アンテナ１５１２およびアンテナ１５１４を含むことができる。各アンテナグループに対して２つのアンテナが図示されているが、各アンテナグループに対して、より多いまたはより少ないアンテナを利用できる。基地局１５０２は、さらに、送信機チェーンと受信機チェーンとを含むことができ、そのそれぞれは、さらに、信号の送受信に関係付けられている複数のコンポーネント（例えば、プロセッサ、変調器、マルチプレクサ、復調器、デマルチプレクサ、アンテナ等）を適宜含むことができる。
【００８８】
基地局１５０２は、移動デバイス１５１６および移動デバイス１５２２のような、１つ以上の移動デバイスと通信できる。しかしながら、基地局１５０２は、移動デバイス１５１６および１５２２に類似する実質的に任意の数の移動デバイスと通信できることを正しく認識すべきである。移動デバイス１５１６および１５２２は、例えば、セルラ電話機、スマートフォン、ラップトップ、ハンドヘルド通信デバイス、ハンドヘルドコンピューティングデバイス、衛星ラジオ、グローバルポジショニングシステム、ＰＤＡ、および／または、ワイヤレス通信システム１５００を通して通信するための他の何らかの適切なデバイスとすることができる。描写するように、移動デバイス１５１６は、アンテナ１５１２および１５１４と通信しており、ここで、アンテナ１５１２およびアンテナ１５１４は、フォワードリンク１５１８を通して移動デバイス１５１６に情報を送信し、リバースリンク１５２０を通して移動デバイス１５１６から情報を受信する。さらに、移動デバイス１５２２は、アンテナ１５０４および１５０６と通信しており、ここで、アンテナ１５０４およびアンテナ１５０６は、フォワードリンク１５２４を通して移動デバイス１５２２に情報を送信し、リバースリンク１５２６を通して移動デバイス１５２２から情報を受信する。周波数分割複信（ＦＤＤ）システムでは、例えば、フォワードリンク１５１８は、リバースリンク１５２０によって使用されるものとは異なる周波数帯域を利用でき、フォワードリンク１５２４は、リバースリンク１５２６によって用いられるものとは異なる周波数帯域を用いることができる。さらに、時分割複信（ＴＤＤ）システムでは、フォワードリン１５１８とリバースリンク１５２０は、共通の周波数帯域を利用でき、フォワードリンク１５２４とリバースリンク１５２６は、共通の周波数帯域を利用できる。
【００８９】
アンテナの各グループおよび／またはアンテナの各グループが通信するように指定されているエリアを、基地局１５０２のセクタと呼ぶことができる。例えば、アンテナグループは、基地局１５０２によってカバーされているエリアのセクタ中で、移動デバイスに通信するように設計することができる。フォワードリンク１５１８および１５２４を通しての通信では、基地局１５０２の送信アンテナは、移動デバイス１５１６と１５２２とに対するフォワードリンク１５１８および１５２４の信号対ノイズ比を改善するために、ビームフォーミングを利用することができる。また、基地局１５０２は、ビームフォーミングを使用して、その関係するカバレッジ中にランダムに散らばっている移動デバイス１５１６および１５２２に送信するが、単一のアンテナを通してそのすべての移動デバイスに送信する基地局に比べて、隣接セル中にある移動デバイスは、より少ない干渉を受けることがある。さらに、移動デバイス１５１６および１５２２は、描写されているようなピア・ツー・ピアまたはアドホックの技術を使用して、互いに直接通信できる。例にしたがうと、システム１５００は、複数入力複数出力（ＭＩＭＯ）通信システムとすることができる。加えて、説明したように、例えば、基地局１５０２は、他のアクセスポイントに対する潜在的な干渉を決定したことに基づいて、移動デバイス１５１６および／または１５２２に対するＩＦＨＯしきい値、データレート等を設定でき、潜在的な干渉に基づいて、アクセスモード間で切り替えることができ、潜在的な干渉に基づいて、ダウンリンク送信電力をブーストでき、パス損失エッジターゲットを調節でき、および／または、これらに類似することができる。
【００９０】
図１６は、例示的なワイヤレス通信システム１６００を示している。ワイヤレス通信システム１６００は、簡潔さのために、１つの基地局１６１０と１つの移動デバイス１６５０とを描写している。しかしながら、システム１６００は、１つより多い基地局および／または１つより多い移動デバイスを含むことができることを正しく認識すべきであり、ここで、追加の基地局および／または移動デバイスは、以下で説明する例示的な基地局１６１０および移動デバイス１６５０と実質的に類似するか、または、異なることがある。加えて、基地局１６１０および／または移動デバイス１６５０は、ここで説明する、システム（図１〜３、５、および、１０〜１５）、ブースティングパターン（図４）、ならびに／あるいは、方法（図６〜９）を用いて、基地局１６１０と移動デバイス１６５０との間のワイヤレス通信を促進できることを正しく認識すべきである。例えば、ここで説明するシステムおよび／または方法の、コンポーネントまたは機能は、以下で説明するメモリ１６３２および／または１６７２の一部、あるいは、プロセッサ１６３０および／または１６７０の一部とすることができ、ならびに／あるいは、開示した機能を実行するプロセッサ１６３０および／または１６７０によって実行できる。
【００９１】
基地局１６１０において、多数のデータストリームに対するトラフィックデータが、データソース１６１２から送信（ＴＸ）データプロセッサ１６１４に提供される。例にしたがって、各データストリームは、それぞれのアンテナを通して送信することができる。ＴＸデータプロセッサ１６１４は、そのデータストリームに対して選択された特定のコーディングスキームに基づいて、トラフィックデータストリームをフォーマットし、コード化し、インターリーブして、コード化されたデータを提供する。
【００９２】
各データストリームに対するコード化されたデータは、直交周波数分割多重化（ＯＦＤＭ）技術を使用して、パイロットデータと多重化できる。さらにまたは代替的に、パイロットシンボルは、周波数分割多重化（ＦＤＭ）でき、時分割多重化（ＴＤＭ）でき、または、コード分割多重化（ＣＤＭ）できる。パイロットデータは、典型的に、既知の方法で処理される既知のデータパターンであり、チャネル応答を推定するために、移動デバイス１６５０において使用することができる。各データストリームに対する多重化されたパイロットおよびコード化データは、そのデータストリームに対して選択された特定の変調スキーム（例えば、２相位相シフトキーイング（ＢＰＳＫ）、直角位相シフトキーイング（ＱＰＳＫ）、Ｍ相位相シフトキーイング（Ｍ−ＰＳＫ）、Ｍ直角位相振幅変調（Ｍ−ＱＡＭ）等）に基づいて、変調（例えば、シンボルマッピング）され、変調シンボルを提供することができる。各データストリームに対する、データレート、コーディング、および、変調は、プロセッサ１６３０により実行または提供される命令によって決定できる。
【００９３】
データストリームに対する変調シンボルは、ＴＸ ＭＩＭＯプロセッサ１６２０に提供することができ、ＴＸ ＭＩＭＯプロセッサ１６２０は、（例えば、ＯＦＤＭのために）変調シンボルをさらに処理できる。ＴＸ ＭＩＭＯプロセッサ１６２０は、その後、ＮT個の変調シンボルストリームをＮT台の送信機（ＴＭＴＲ）１６２２ａないし１６２２ｔに提供する。さまざまな実施形態では、ＴＸ ＭＩＭＯプロセッサ１６２０は、データストリームのシンボルと、そこからシンボルが送信されるアンテナとに対して、ビームフォーミングの重みを適用する。
【００９４】
各送信機１６２２は、それぞれのシンボルストリームを受け取って処理し、１つ以上のアナログ信号を提供し、アナログ信号をさらに調整して（例えば、増幅して、フィルタリングして、および、アップコンバートして）、ＭＩＭＯチャネルを通しての送信に適した変調された信号を提供する。さらに、送信機１６２２ａないし１６２２ｔからのＮT個の変調信号は、ＮT本のアンテナ１６２４ａないし１６２４ｔから、それぞれ送信される。
【００９５】
移動デバイス１６５０において、ＮR本のアンテナ１６５２ａないし１６５２ｒにより、送信された変調信号が受信され、各アンテナ１６５２からの受信信号は、それぞれの受信機（ＲＣＶＲ）１６５４ａないし１６５４ｒに提供される。各受信機１６５４は、それぞれの信号を調整し（例えば、フィルタリングし、増幅し、および、ダウンコンバートし）、調整した信号をデジタル化してサンプルを提供し、サンプルをさらに処理して、対応する“受信した”シンボルストリームを提供する。
【００９６】
ＲＸデータプロセッサ１６６０は、ＮR台の受信機１６５４からのＮR個の受信シンボルストリームを受け取って、特定の受信機処理技術に基づいて処理し、ＮT個の“検出した”シンボルストリームを提供できる。ＲＸデータプロセッサ１６６０は、各検出したシンボルストリームを、復調し、デインターリーブし、および、デコードし、データストリームに対するトラフィックデータを復元できる。ＲＸデータプロセッサ１６６０による処理は、基地局１６１０における、ＴＸ ＭＩＭＯプロセッサ１６２０およびＴＸデータプロセッサ１６１４により実行される処理と相補的である。
【００９７】
リバースリンクメッセージは、通信リンクにおよび／または受信したデータストリームに関するさまざまなタイプの情報を含むことができる。データソース１６３６から多数のデータストリームに対するトラフィックデータも受け取るＴＸデータプロセッサ１６３８により、リバースリンクメッセージを処理でき、変調器１６８０により変調でき、送信機１６５４ａないし１６５４ｒにより調整でき、基地局１６１０に返信できる。
【００９８】
基地局１６１０において、移動デバイス１６５０からの変調信号は、アンテナ１６２４により受信され、受信機１６２２により調整され、復調器１６４０により復調され、移動デバイス１６５０により送信されたリバースリンクメッセージを抽出するために、ＲＸデータプロセッサ１６４２により処理される。さらに、プロセッサ１６３０は、ビームフォーミングの重みを決定するためにどのプリコーディング行列を使用するかを決定するために、抽出したメッセージを処理できる。
【００９９】
プロセッサ１６３０および１６７０は、基地局１６１０および移動デバイス１６５０における動作をそれぞれ命令する（例えば、制御する、調整する、管理する等）。それぞれのプロセッサ１６３０および１６７０は、プログラムコードおよびデータを記憶するメモリ１６３２ならびに１６７２に関係付けることができる。プロセッサ１６３０および１６７０は、説明したように、干渉を決定または検出し、ＩＦＨＯしきい値またはデータレートを調節し、アクセスモードを切り替え、送信電力をブーストし、パス損失エッジターゲットを調節等できる。
【０１００】
図１７は、ここでの教示を実現してもよい、多数のユーザをサポートするように構成されているワイヤレス通信システム１７００を図示している。システム１７００は、例えば、マクロセル１７０２Ａ〜１７０２Ｇのような複数のセル１７０２に対して通信を提供し、各セルには、対応するアクセスノード１７０４（例えば、アクセスノード１７０４Ａ〜１７０４Ｇ）によりサービスが提供されている。図１７において示されているように、アクセス端末１７０６（例えば、アクセス端末１７０６Ａ〜１７０６Ｌ）は、システム全体にわたって、さまざまなロケーションに、経時的に散らばっていることがある。各アクセス端末１７０６は、例えば、アクセス端末１７０６がアクティブであるか否か、および、アクセス端末１７０６がソフトハンドオフ中であるか否かに依存して、所定の瞬間において、フォワードリンク（ＦＬ）上および／またはリバースリンク（ＲＬ）上で、１つ以上のアクセスノード１７０４と通信することができる。ワイヤレス通信システム１７００は、大きい地理的な領域にわたってサービスを提供できる。
【０１０１】
図１８は、１つ以上のフェムトノードがネットワーク環境内に配置されている例示的な通信システム１８００を図示している。特に、システム１８００は、（例えば、１つ以上のユーザの住宅１８３０のような）比較的小さいスケールのネットワーク環境中に設置されている複数のフェムトノード１８１０Ａおよび１８１０Ｂ（例えば、フェムトノードまたはＨ（ｅ）ＮＢ）を含む。各フェムトノード１８１０は、デジタル加入者線（ＤＳＬ）ルータや、ケーブルモデムや、ワイヤレスリンクや、または（示されていない）他の接続性手段を介して、ワイドエリアネットワーク１８４０（例えば、インターネット）および移動体オペレータコアネットワーク１８５０に結合できる。以下で論じるように、関係付けられているアクセス端末１８２０（例えば、アクセス端末１８２０Ａ）と、オプション的に、エイリアンアクセス端末１８２０（例えば、アクセス端末１８２０Ｂ）とを担当するように各フェムトノード１８１０を構成できる。言い換えると、１組の指定されている（例えば、ホーム）フェムトノード１８１０によって所定のアクセス端末１８２０を担当できるが、何らかの指定されていないフェムトノード１８１０（例えば、隣接するフェムトノード）によって所定のアクセス端末１８２０を担当しなくてもよいことにより、フェムトノード１８１０に対するアクセスを制限できる。
【０１０２】
図１９は、いくつかのトラッキングエリア１９０２（またはルーティングエリアまたはロケーションエリア）を規定し、そのそれぞれがいくつかのマクロカバレッジエリア１９０４を含む、カバレッジマップ１９００の例を図示している。ここで、トラッキングエリア１９０２Ａ、１９０２Ｂ、および１９０２Ｃに関係するカバレッジのエリアは、幅広の線により線引きされ、マクロカバレッジエリア１９０４は、六角形により表されている。トラッキングエリア１９０２はまた、フェムトカバレッジエリア１９０６を含んでいる。この例では、フェムトカバレッジエリア１９０６のそれぞれ（例えば、フェムトカバレッジエリア１９０６Ｃ）が、マクロカバレッジエリア１９０４（例えば、マクロカバレッジエリア１９０４Ｂ）内に描写されている。しかしながら、フェムトカバレッジエリア１９０６が、マクロカバレッジエリア１９０４内にまったく位置していなくてもよいことを正しく認識すべきである。実際には、非常に多数のフェムトカバレッジエリア１９０６を、所定のトラッキングエリア１９０２内に、または、マクロカバレッジエリア１９０４内に規定できる。また、（示されていない）１つ以上のピコカバレッジエリアを、所定のトラッキングエリア１９０２内に、または、マクロカバレッジエリア１９０４内に規定できる。
【０１０３】
再度図１８を参照すると、フェムトノード１８１０の所有者は、例えば、３Ｇ移動体サービスのような、移動体オペレータコアネットワーク１８５０を通して提供される移動体サービスに加入できる。加えて、アクセス端末１８２０は、マクロ環境と、より小さいスケール（例えば、住宅）のネットワーク環境との双方で動作することが可能である。したがって、例えば、アクセス端末１８２０の現在のロケーションに依存して、アクセスノード１８６０により、または、１組のフェムトノード１８１０のうちの何らかの１つ（例えば、対応するユーザの住宅１８３０内に存在するフェムトノード１８１０Ａおよび１８１０Ｂ）により、アクセス端末１８２０を担当できる。例えば、加入者が自身の家の外にいるときには、加入者は、標準的なマクロアクセスノード（例えば、ノード１８６０）により担当され、加入者が自身の家にいるときには、加入者は、フェムトノード（例えば、ノード１８１０Ａ）により担当される。ここで、フェムトノード１８１０は、既存のアクセス端末１８２０と下位互換性があることを正しく認識すべきである。
【０１０４】
フェムトノード１８１０は、単一の周波数上で実施でき、または、代替的に、複数の周波数上で実施できる。特定のコンフィギュレーションに依存して、単一の周波数または複数の周波数のうちの１つ以上が、マクロセルアクセスノード（例えば、ノード１８６０）により使用される１つ以上の周波数とオーバーラップする可能性がある。いくつかの態様では、このような接続性が可能であるときはいつでも、好ましいフェムトノード（例えば、アクセス端末１８２０のホームフェムトノード）に接続するように、アクセス端末１８２０を構成できる。例えば、アクセス端末１８２０がユーザの住宅１８３０内にあるときにはいつでも、アクセス端末１８２０は、ホームフェムトノード１８１０と通信できる。
【０１０５】
いくつかの態様では、アクセス端末１８２０が、移動体オペレータコアネットワーク１８５０内で動作しているが、（例えば、好ましいローミングリスト中で規定されているような）その最も好ましいネットワーク上に存在していない場合に、アクセス端末１８２０は、ベターシステムリセレクション（ＢＳＲ）を使用して、最も好ましいネットワーク（例えば、フェムトノード１８１０）をサーチし続けることができる。ベターシステムリセレクション（ＢＳＲ）は、より良いシステムが現在利用可能であるか否かを決定するために、利用可能なシステムの周期的なスキャニングと、このような好ましいシステムに関係付けるための後続する活動とを含むことができる。１つの例では、（例えば、好ましいローミングリスト中の）捕捉テーブルエントリを使用して、アクセス端末１８２０は、特定の帯域およびチャネルに対するサーチに限定できる。例えば、最も好ましいシステムに対するサーチを周期的に繰り返すことができる。フェムトノード１８１０のような、好ましいフェムトノードを発見すると、そのカバレッジエリア内にキャンプするために、アクセス端末１８２０はフェムトノード１８１０を選択する。
【０１０６】
いくつかの態様では、フェムトノードを制限することができる。例えば、所定のフェムトノードは、あるアクセス端末に対してあるサービスのみを提供できる。いわゆる制限された（または閉じられた）アソシエーションでの配置では、マクロセル移動体ネットワークと、規定された組のフェムトノード（例えば、対応するユーザの住宅１８３０内に存在するフェムトノード１８１０）とによってのみ、所定のアクセス端末を担当できる。いくつかの構成では、少なくとも１つのアクセス端末に対して、シグナリング、データアクセス、登録、ページング、または、サービスのうちの少なくとも１つを提供しないようにフェムトノードを制限できる。
【０１０７】
いくつかの態様では、（閉じられた加入者グループＨ（ｅ）ＮＢと呼ばれることもある）制限されたフェムトノードは、制限されるように設定された１組のアクセス端末にサービスを提供するものである。この組は、一時的なものとすることができ、または、必要に応じて永久的に拡張できる。いくつかの態様では、閉じられた加入者グループ（ＣＳＧ）は、アクセス端末の共通アクセス制御リストを共有するアクセスノード（例えば、フェムトノード）の組として規定できる。領域中のすべてのフェムトノード（または、すべての制限されたフェムトノード）がその上で動作するチャネルは、フェムトチャネルと呼ぶことができる。
【０１０８】
したがって、所定のフェムトノードと所定のアクセス端末との間に、さまざまな関係が存在することがある。例えば、アクセス端末の観点から、オープンなフェムトノードは、制限されていないアソシエーションを持つフェムトノードのことを指すことができる。制限されたフェムトノードは、何らかの方法で制限されている（例えば、関係および／または登録に対して制限されている）フェムトノードのことを指すことができる。ホームフェムトノードは、そのフェムトノードにアクセスし、その上で動作することがアクセス端末に認可されているフェムトノードのことを指すことができる。ゲストフェムトノードは、そのフェムトノードにアクセスし、その上で動作することがアクセス端末に一時的に認可されているフェムトノードのことを指すことができる。エイリアンフェムトノードは、緊急と思われる事態（例えば、９１１通話）を除いて、そのフェムトノードにアクセスし、その上で動作することがアクセス端末に認可されていないフェムトノードのことを指すことができる。
【０１０９】
制限されたフェムトノードの観点から、ホームアクセス端末は、制限されたフェムトノードにアクセスすることが認可されているアクセス端末のことを指すことができる。ゲストアクセス端末は、制限されたフェムトノードへの一時的なアクセスを持つアクセス端末のことを指すことができる。エイリアンアクセス端末は、例えば９１１通話のような緊急と思われる事態を除いて、制限されたフェムトノードにアクセスする許可を有していないアクセス端末（例えば、制限されたフェムトノードに登録するための信用証明または許可を有していないアクセス端末）のことを指すことができる。
【０１１０】
便宜上、ここでの開示は、フェムトノードの文脈でさまざまな機能性を説明した。しかしながら、より大きいカバレッジエリアは別として、ピコノードが、フェムトノードと同じまたは類似する機能性を提供できることを正しく認識すべきである。例えば、ピコノードを制限でき、所定の端末に対してホームピコノードを規定できる等である。
【０１１１】
ワイヤレス多元接続通信システムは、複数のワイヤレスアクセス端末に対する通信を同時にサポートできる。上述したように、各端末は、フォワードリンク上およびリバースリンク上での送信を介して、１つ以上の基地局と通信できる。フォワードリンク（またはダウンリンク）は、基地局から端末への通信リンクのことを指し、リバースリンク（またはアップリンク）は、端末から基地局への通信リンクのことを指す。この通信リンクは、単一入力単一出力システム、ＭＩＭＯシステム、または、他の何らかのタイプのシステムを介して、確立できる。
【０１１２】
ここで開示した実施形態に関連して説明した、さまざまな例示的な論理、論理ブロック、モジュール、コンポーネントおよび回路は、汎用プロセッサ、デジタル信号プロセッサ（ＤＳＰ）、特定用途向け集積回路（ＡＳＩＣ）、フィールドプログラム可能ゲートアレイ信号（ＦＰＧＡ）または他のプログラム可能論理デバイス、ディスクリートゲートまたはトランジスタ論理、ディスクリートハードウェアコンポーネント、あるいは、ここで説明した機能を実行するために設計されたこれらの何らかの組み合わせで、実現あるいは実行されてもよい。汎用プロセッサは、マイクロプロセッサであってもよいが、代替実施形態では、プロセッサは、何らかの従来のプロセッサ、制御装置、マイクロ制御装置、または、状態機械であってもよい。プロセッサはまた、コンピューティングデバイスの組み合わせとして、例えば、ＤＳＰとマイクロプロセッサの組み合わせ、複数のマイクロプロセッサ、ＤＳＰコアを備えた１つ以上のマイクロプロセッサ、または、このようなコンフィギュレーションの他の何らかのものとして実現されてもよい。さらに、少なくとも１つのプロセッサは、上述したステップおよび／またアクションのうちの１つ以上を実行するように動作可能な１つ以上のモジュールを含んでもよい。例示的な記憶媒体は、プロセッサが記憶媒体から情報を読み取り、記憶媒体に情報を書き込むことができるように、プロセッサに結合されていてもよい。代替実施形態では、記憶媒体はプロセッサに一体化していてもよい。さらに、いくつかの態様では、プロセッサおよび記憶媒体は、ＡＳＩＣに存在してもよい。さらに、ＡＳＩＣは、ユーザ端末に存在してもよい。代替的に、プロセッサおよび記憶媒体は、ディスクリートコンポーネントとして、ユーザ端末に存在してもよい。
【０１１３】
１つ以上の態様では、説明した機能、方法、およびアルゴリズムは、ハードウェアで、ソフトウェアで、ファームウェアで、または、これらのものを組み合わせた任意のもので実現してもよい。ソフトウェアで実現される場合に、機能は、１つ以上の命令またはコードとして、コンピュータプログラムプロダクト中に組み込まれていてもよいコンピュータ読取可能媒体上に記憶されてもよく、あるいは、１つ以上の命令またはコードとして、コンピュータ読取可能媒体上に送信されてもよい。コンピュータ読取可能媒体は、１つの場所から別の場所へのコンピュータプログラムの転送を促進する何らかの媒体を含むコンピュータ記憶媒体および通信媒体の双方を含む。記憶媒体は、コンピュータによってアクセスできる何らかの利用可能な媒体であってもよい。一例として、これらに限定されないが、このようなコンピュータ読取可能媒体は、ＲＡＭ、ＲＯＭ、ＥＥＰＲＯＭ、ＣＤ−ＲＯＭ、または、他の光ディスク記憶装置、磁気ディスク記憶装置、あるいは、コンピュータによってアクセスでき、命令またはデータ構造の形態で、所望のプログラムコードを搬送または記憶するために使用できる他の何らかの媒体を含むことができる。また、実質的に、あらゆる接続は、コンピュータ読取可能媒体と呼ばれてもよい。例えば、同軸ケーブル、光ファイバケーブル、撚り対、デジタル加入者線（ＤＳＬ）、あるいは、赤外線、無線、および、マイクロ波のようなワイヤレス技術を使用しているウェブサイト、サーバ、または、他の遠隔ソースから、ソフトウェアが送信される場合には、同軸ケーブル、光ファイバケーブル、撚り対、ＤＳＬ、あるいは、赤外線、無線、および、マイクロ波のようなワイヤレス技術は、媒体の定義に含まれる。ここで使用したようなディスク（ｄｉｓｋおよびｄｉｓｃ）は、コンパクトディスク（ＣＤ）、レーザディスク（登録商標）、光ディスク、デジタル多用途ディスク（ＤＶＤ）、フロッピー（登録商標）ディスク、および、ブルーレイ（登録商標）ディスクを含むが、一般的に、ディスク（ｄｉｓｋ）は、通常、データを磁気的に再生する一方で、ディスク（ｄｉｓｃ）は、通常、データをレーザによって光学的に再生する。先のものを組み合わせたものもまた、コンピュータ読取可能媒体の範囲内に含められるべきである。
【０１１４】
先の開示は、例示的な態様および／または実施形態を論じているが、添付した特許請求の範囲によって規定されているような、説明した態様および／または実施形態の範囲から逸脱することなく、さまざまな変更および修正を行うことができることに留意すべきである。さらに、説明した態様および／または実施形態のエレメントは、単数形で説明または請求されてもよいが、単数への限定が明示的に述べられていない限り、複数形が意図されている。さらに、そうではないと述べられていない限り、任意の態様ならびに／あるいは実施形態のすべてまたは一部が、他の何らかの態様ならびに／あるいは実施形態のすべてまたは一部とともに利用されてもよい。
【図１】
2014212542.tif 000003
【図２】
2014212542.tif 000004
【図３】
2014212542.tif 000005
【図４】
2014212542.tif 000006
【図５】
2014212542.tif 000007
【図６】
2014212542.tif 000008
【図７】
2014212542.tif 000009
【図８】
2014212542.tif 000010
【図９】
2014212542.tif 000011
【図１０】
2014212542.tif 000012
【図１１】
2014212542.tif 000013
【図１２】
2014212542.tif 000014
【図１３】
2014212542.tif 000015
【図１４】
2014212542.tif 000016
【図１５】
2014212542.tif 000017
【図１６】
2014212542.tif 000018
【図１７】
2014212542.tif 000019
【図１８】
2014212542.tif 000020
【図１９】
2014212542.tif 000021
【手続補正書】
【提出日】平成26年7月16日(2014.7.16)
【手続補正１】
【補正対象書類名】特許請求の範囲
【補正対象項目名】全文
【補正方法】変更
【補正の内容】
【特許請求の範囲】
【請求項１】
ワイヤレスネットワーク中で干渉を緩和するための方法において、
メンバーデバイスとの通信を可能にするクローズドアクセスモードで動作することと、
１つ以上のアクセスポイントによって担当されている１つ以上のメンバーでないデバイスからの干渉を検出することと、
前記検出した干渉に基づいて、前記１つ以上のメンバーでないデバイスとの通信が可能になるように、ハイブリッドアクセスモードまたはオープンアクセスモードに切り替えることと
を含む方法。
【請求項２】
前記干渉を検出することは、総ワイドバンド電力またはセル外干渉が、しきい値レベルを超えていることを検出することを含む請求項１記載の方法。
【請求項３】
前記干渉を検出することは、バックホールリンクを通して、前記１つ以上のアクセスポイントから干渉の指示を受信することを含む請求項１記載の方法。
【請求項４】
前記１つ以上のメンバーでないデバイスとの通信が終了していることを決定したときに、前記クローズドアクセスモードに切り替えることをさらに含む請求項１記載の方法。
【請求項５】
ワイヤレスネットワーク中で干渉を緩和する装置において、
メンバーデバイスとの通信を可能にするクローズドアクセスモードをアドバタイズし、
１つ以上のアクセスポイントによって担当されている１つ以上のメンバーでないデバイスからの干渉を検出し、
前記検出した干渉に基づいて、前記１つ以上のメンバーでないデバイスとの通信が可能になるように、ハイブリッドアクセスモードまたはオープンアクセスモードに切り替える、
ように構成されている少なくとも１つのプロセッサと、
前記少なくとも１つのプロセッサに結合されているメモリと
を具備する装置。
【請求項６】
前記少なくとも１つのプロセッサは、総ワイドバンド電力またはセル外干渉が、しきい値レベルを超えていることを検出すること、または、バックホールリンクを通して、前記１つ以上のアクセスポイントから干渉の指示を受信することに少なくとも部分的によって、前記干渉を検出する請求項５記載の装置。
【請求項７】
ワイヤレスネットワーク中で干渉を緩和する装置において、
メンバーデバイスとの通信を可能にするクローズドアクセスモードで動作する手段と、
１つ以上のアクセスポイントによって担当されている１つ以上のメンバーでないデバイスからの干渉を検出する手段とを具備し、
前記動作する手段は、前記検出した干渉に基づいて、前記１つ以上のメンバーでないデバイスとの通信が可能になるように、ハイブリッドアクセスモードまたはオープンアクセスモードに切り替える装置。
【請求項８】
前記検出する手段は、総ワイドバンド電力またはセル外干渉が、しきい値レベルを超えていることを検出すること、または、バックホールリンクを通して、前記１つ以上のアクセスポイントから干渉の指示を受信することに少なくとも部分的によって、前記干渉を検出する請求項７記載の装置。
【請求項９】
ワイヤレスネットワーク中で干渉を緩和するコンピュータプログラムを記憶するコンピュータ読取可能記憶媒体において、
前記コンピュータプログラムは、
少なくとも１つのコンピュータに、メンバーデバイスとの通信を可能にするクローズドアクセスモードをアドバタイズさせるためのコードと、
前記少なくとも１つのコンピュータに、１つ以上のアクセスポイントによって担当されている１つ以上のメンバーでないデバイスからの干渉を検出させるためのコードと、
前記少なくとも１つのコンピュータに、前記検出した干渉に基づいて、前記１つ以上のメンバーでないデバイスとの通信が可能になるように、ハイブリッドアクセスモードまたはオープンアクセスモードをアドバタイズするように切り替えさせるためのコードと
を含むコンピュータ読取可能記憶媒体。
【請求項１０】
前記少なくとも１つのコンピュータに検出させるためのコードは、総ワイドバンド電力またはセル外干渉が、しきい値レベルを超えていることを検出すること、または、バックホールリンクを通して、前記１つ以上のアクセスポイントから干渉の指示を受信することに少なくとも部分的によって、前記干渉を検出する請求項９記載のコンピュータ読取可能記憶媒体。
【請求項１１】
ワイヤレスネットワーク中で干渉を緩和する装置において、
メンバーデバイスとの通信を可能にするクローズドアクセスモードで動作するアクセスモードコンポーネントと、
１つ以上のアクセスポイントによって担当されている１つ以上のメンバーでないデバイスからの干渉を検出する干渉検出コンポーネントとを具備し、
前記アクセスモードコンポーネントは、前記検出した干渉に基づいて、前記１つ以上のメンバーでないデバイスとの通信が可能になるように、ハイブリッドアクセスモードまたはオープンアクセスモードに切り替える装置。
【請求項１２】
前記干渉検出コンポーネントは、総ワイドバンド電力またはセル外干渉が、しきい値レベルを超えていることを検出する請求項１１記載の装置。
【請求項１３】
前記干渉検出コンポーネントは、バックホールリンクを通して、前記１つ以上のアクセスポイントから干渉の指示を受信する請求項１１記載の装置。
【請求項１４】
前記アクセスモードコンポーネントは、前記１つ以上のメンバーでないデバイスとの通信が終了していると決定したときに、前記クローズドアクセスモードに切り替える請求項１１記載の装置。
【請求項１５】
ワイヤレス通信中で干渉を緩和するための方法において、
１つ以上のアクセスポイントと通信している１つ以上のデバイスからの干渉を検出することと、
前記干渉を検出したことに基づいて、経時的なブースティングパターンにしたがって、ダウンリンク送信電力を増加させることと
を含む方法。
【請求項１６】
前記ダウンリンク送信電力を増加させることは、第１の時間期間の間、前記ダウンリンク送信電力をブーストすることと、前記第１の時間期間の後に前記干渉を検出したことに少なくとも基づいて、第２の時間期間の間、前記ダウンリンク送信電力の前記ブースティングを増加させることとを含む請求項１５記載の方法。
【請求項１７】
ワイヤレス通信中で干渉を緩和する装置において、
１つ以上のアクセスポイントと通信している１つ以上のデバイスからの干渉を検出し、
前記干渉を検出したことに基づいて、経時的なブースティングパターンにしたがって、ダウンリンク送信電力を増加させる、
ように構成されている少なくとも１つのプロセッサと、
前記少なくとも１つのプロセッサに結合されているメモリと
を具備する装置。
【請求項１８】
前記少なくとも１つのプロセッサは、第１の時間期間の間、前記ダウンリンク送信電力をブーストすることと、前記第１の時間期間の後に前記干渉を検出したことに少なくとも基づいて、第２の時間期間の間、前記ダウンリンク送信電力の前記ブースティングを増加させることとに少なくとも部分的によって、前記ダウンリンク送信電力を増加させる請求項１７記載の装置。
【請求項１９】
ワイヤレス通信中で干渉を緩和する装置において、
１つ以上のアクセスポイントと通信している１つ以上のデバイスからの干渉を検出する手段と、
前記干渉を検出したことに基づいて、経時的なブースティングパターンにしたがって、ダウンリンク送信電力を増加させる手段と
を具備する装置。
【請求項２０】
前記増加させる手段は、第１の時間期間の間、前記ダウンリンク送信電力をブーストすることと、前記第１の時間期間の後に前記干渉を検出したことに少なくとも基づいて、第２の時間期間の間、前記ダウンリンク送信電力の前記ブースティングを増加させることとに少なくとも部分的によって、前記ダウンリンク送信電力を増加させる請求項１９記載の装置。
【請求項２１】
ワイヤレス通信中で干渉を緩和するコンピュータプログラムを記憶するコンピュータ読取可能記憶媒体において、
少なくとも１つのコンピュータに、１つ以上のアクセスポイントと通信している１つ以上のデバイスからの干渉を検出させるためのコードと、
前記少なくとも１つのコンピュータに、前記干渉を検出したことに基づいて、経時的なブースティングパターンにしたがって、ダウンリンク送信電力を増加させるためのコードと
を含むコンピュータ読取可能記憶媒体。
【請求項２２】
前記少なくとも１つのコンピュータに増加させるためのコードは、第１の時間期間の間、前記ダウンリンク送信電力をブーストすることと、前記第１の時間期間の後に前記干渉を検出したことに少なくとも基づいて、第２の時間期間の間、前記ダウンリンク送信電力の前記ブースティングを増加させることとに少なくとも部分的によって、前記ダウンリンク送信電力を増加させる請求項２１記載のコンピュータ読取可能記憶媒体。
【請求項２３】
ワイヤレス通信中で干渉を緩和する装置において、
１つ以上のアクセスポイントと通信している１つ以上のデバイスからの干渉を検出する干渉検出コンポーネントと、
前記干渉を検出したことに基づいて、経時的なブースティングパターンにしたがって、ダウンリンク送信電力を増加させるダウンリンク送信コンポーネントと
を具備する装置。
【請求項２４】
前記ダウンリンク送信コンポーネントは、第１の時間期間の間、前記ダウンリンク送信電力をブーストすることと、前記第１の時間期間の後に前記干渉を検出したことに少なくとも基づいて、第２の時間期間の間、前記ダウンリンク送信電力の前記ブースティングを増加させることとに少なくとも部分的によって、前記ダウンリンク送信電力を増加させる請求項２３記載の装置。
【外国語明細書】
2014212542000001.pdf